(57)【要約】  【課題】  コージェネレーションシステムを活用した給湯装置として好適であり、暖房装置の加熱と給湯との同時使用モードにおける望ましい制御方法を確立し、使いやすい給湯装置を完成する。  【解決手段】  同時使用モードにおいては、温水装置６によって加熱され、温水装置６から吐出された高温湯を、給湯回路３３側と加熱循環回路３２側に適切に配分し、給湯に供される熱エネルギーと、暖房に供される熱エネルギーのバランスを確保する。また基本的に給湯に優先して熱エネルギー（高温湯）を配分し、残余の高温湯を加熱循環回路３２側に配分する。給湯装置１に入水される入水の温度Ｔｃと、熱源に入水される熱源入水温度Ｔｔと、加熱循環回路における熱交換後の湯温Ｔｈに基づいて、高温湯分配制御比例弁８４を制御し、高温排出湯の流量と高温循環湯の流量の比率を調整する。【選択図】  図７
2008134055.tif 000002
【特許請求の範囲】
【請求項１】
少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードにおいては、熱源の発熱量の中の一定量が給湯に伴って給湯回路から外部に排出可能となる様な開度に総量制御手段を制御することを特徴とする給湯装置。
【請求項２】
少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードにおいては、給湯に伴って給湯回路から外部に排出される熱量が熱源の発熱能力の範囲であってさらに所定の余裕熱量を残す範囲となる様に総量制御手段を制御することを特徴とする給湯装置。
【請求項３】
少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードによる使用の初期においては、熱源の発熱量の中の一定量が給湯に伴って給湯回路から外部に排出可能となる様な開度となる様に総量制御手段が規制され、その後、給湯に伴って給湯回路から外部に排出される熱量が熱源の発熱能力の範囲であってさらに所定の余裕熱量を残す範囲となる様に総量制御手段を制御することを特徴とする給湯装置。
【請求項４】
熱源の熱交換器を経由して給湯回路から外部に至る高温排出湯の流量と熱交換器を経由して加熱循環回路を循環する高温循環湯の流量の比率を制御する高温湯分配比率制御手段と、実際の給湯に伴って給湯回路から外部に排出される排出熱量を計測又は演算する排出熱量検知手段を有し、排出熱量検知手段によって検知された前記排出熱量と熱源の発熱能力から余裕熱量を演算し、給湯に必要な熱量を有する高温排出湯が給湯回路を流れ、且つ前記余裕熱量の範囲内であって被加熱物を加熱するのに必要な熱量を有する高温循環湯が加熱循環回路を循環する様に高温湯分配比率制御手段を動作させることを特徴とする請求項１乃至３のいずれかに記載の給湯装置。
【請求項５】
少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、被加熱物の加熱と給湯との同時使用モードを備え、当該同時使用モードにおいては、熱交換器を経由して給湯回路から外部に至る高温排出湯の流量と熱交換器を経由して加熱循環回路を循環する高温循環湯の流量の比率を制御して高温排出湯と高温循環湯を分配することを特徴とする給湯装置。
【請求項６】
給湯装置に入水される入水の温度Ｔｃと、熱源に入水される熱源入水温度Ｔｔと、加熱循環回路における熱交換後の湯温Ｔｈに基づいて、高温排出湯の流量と高温循環湯の流量の比率を制御することを特徴とする請求項１乃至５のいずれかに記載の給湯装置。
【請求項７】
給湯回路と加熱循環回路は、熱源からの往き側流路に設けられた往き側分岐部から分岐され、給湯回路と加熱循環回路の少なくともいずれかであって前記往き側分岐部の下流側には流量制御弁が設けられ、貯留タンクは上部が給湯回路に接続され、貯留タンクの下部には入水路が接続され、さらに貯留タンクの下部は、熱源への戻り流路に設けられた戻り側分岐部から熱源に至る流路に接続され、給湯装置に入水される入水の温度を測定する入水温度検知手段と、戻り側分岐部から熱源に至る間に設けられた熱源入水温度検知手段と、加熱循環回路であって前記戻り側分岐部の上流側に設けられた加熱循環湯温度検知手段を有し、前記入水温度検知手段によって検知される入水の温度Ｔｃと、熱源入水温度検知手段によって検知される熱源入水温度Ｔｔと、加熱循環湯温度検知手段によって検知される湯温Ｔｈに基づいて前記流量制御弁を制御し、高温排出湯の流量と高温循環湯の流量の比率を制御することを特徴とする請求項１乃至５のいずれかに記載の給湯装置。
【請求項８】
被加熱物は暖房装置であり、当該暖房装置を含む熱媒二次回路が形成され、熱排出用熱交換器を有し、当該熱排出用熱交換器の一次側は加熱循環回路に接続され、当該熱排出用熱交換器の二次側は熱媒二次回路に接続され、熱媒二次回路に回路を流れる熱媒体の温度を検知する熱媒検知手段が設けられ、熱媒体の温度の変動に応じて高温排出湯の流量と高温循環湯の流量の比率を変更することを特徴とする請求項４乃至７のいずれかに記載の給湯装置。
【請求項９】
給湯を単独で賄うことが可能な熱源と、給湯を単独で賄うことができない熱源を有し、両者の熱交換器は直列に接続されていることを特徴とする請求項１乃至８のいずれかに記載の給湯装置。
【発明の詳細な説明】
【技術分野】
【０００１】
本発明は給湯装置に関するものであり、特に蓄熱用の貯留タンクを有する給湯装置に関するものである。特に本発明の給湯装置は、コージェネレーションシステムを活用した給湯装置として好適である。
【背景技術】
【０００２】
近年、環境問題や省エネルギー等の観点から、コージェネレーションシステムの研究が盛んである。
コージェネレーションシステムの一例として、たとえばガスや液体燃料を使用するエンジンによって発電機を駆動し、さらにエンジンの発熱によって熱エネルギーを取り出すものがある。また燃料電池によって電力と熱を取り出す方策も研究されている。
【０００３】
【特許文献１】特開２００１−２９６０５３号公報
【特許文献２】特開２００１−２５５００１号公報
【特許文献３】特開２００２−３１４０８号公報
【発明の開示】
【発明が解決しようとする課題】
【０００４】
ところでこれらのコージェネレーションシステムを一般家庭で使用する方策を考えると、電力の消費時期と熱の消費時期が合わないという問題や、熱使用時の単位時間当たりの必要量に比べてエンジン等の発熱量が過少であるという問題に直面する。即ち電力は、ほぼ一日中使用するものであって貯め置くことができない。そのため発電機等は、比較的長時間に渡って運転される。
これに対して、熱は、比較的短時間に使用される。たとえば熱を給湯に活用する場合を考えると、風呂に入るとか炊事をするといった場合にのみ熱が消費され、夜中や日中は熱の消費が少ない。さらに熱は、短時間ではあるが、単位時間当たりの消費量が大きいという性質を持つ。したがって、エンジンを運転し、その時の発熱だけによって大量の湯を瞬間的に得ることはできない。
【０００５】
そこで本発明者らは、給湯装置の内部に貯留タンクを設け、当該タンクに蓄熱することを考えた。
即ち発電のためにエンジン等は長時間に渡って運転されるから、その間にすこしづつ湯を作る。そして湯を貯留タンクに貯め置き、必要な時に貯留タンクから湯を取り出して使用に供する。
【０００６】
上記した様に、エンジン等によって湯をすこしずつ貯め、必要な時にその湯を使用し、そして貯められた湯によって必要な湯量のすべてを賄えることが理想ではある。しかしながら、実際には、貯留タンクに湯が不足している時に給湯が必要な場合も少なくない。そこで本発明者らは、この様な場合に備えて、エンジン等の熱源に加えて、給湯を単独で賄うことが可能な補助熱源を内蔵する給湯装置を試作した。
また当該試作器は、市場の要求に合わせて、給湯だけでなく、床暖房を行う用途にも活用できるものとした。即ち試作器では、給湯を単独で行う給湯単独モードと、床暖房やファンコンベクタ等による暖房を単独で行う暖房単独モードと、給湯と暖房を同時に行う同時使用モードを有する。また当該試作器は、上記した給湯単独モード、暖房単独モード及び同時使用モードを、貯留タンクの湯を使用して実行する場合と、補助熱源を使用して実行する場合と、貯留タンクの湯及び補助熱源の双方を併用して実行する場合がある。
【０００７】
そして実際に試作器を運転したところ、補助熱源を使用して同時使用モードを実行する場合に不具合が生じた。
即ち、補助熱源を使用して給湯と暖房を併用する場合、補助熱源によって作られる湯を給湯回路と加熱循環回路の双方に分配しなければならない。しかしながら上記した給湯装置では、蓄熱用の貯留タンクがあるため、給湯回路や加熱循環回路に行くべき湯が貯留タンクに流れ込む場合があり、所望温度の湯が給湯されなかったり、床暖房側に過度に高温の湯が流れ込んでしまう場合があった。
【０００８】
そこで本発明は、従来技術の上記した問題点に注目し、貯留タンクを有することを前提として、被加熱物の加熱と給湯との同時使用モードにおける望ましい制御方法を確立し、貯留タンクを有して省エネルギー効果が高く、使いやすい給湯装置を実現させることを技術的課題とする。
【課題を解決するための手段】
【０００９】
そして上記したて課題を解決するための請求項１に記載の発明は、少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードにおいては、熱源の発熱量の中の一定量が給湯に伴って給湯回路から外部に排出可能となる様な開度に総量制御手段を制御することを特徴とする給湯装置である。
【００１０】
本発明の給湯装置は、コージェネレーションシステムに採用することが望ましいものであり、「熱源」は、補助熱源として使用されることが望ましいものである。本発明の給湯装置では、湯水を循環させて被加熱物を直接的又は間接的に加熱する加熱循環回路を備える。ここで「被加熱物を直接的」に加熱するとは、加熱循環回路の湯を直接床暖房等の端末に循環させて暖房装置等を加熱する場合であり、「被加熱物を間接的」に加熱するとは、加熱循環回路に熱交換器の一次側を接続し、二次側に暖房装置等を接続する場合を指す。即ち本発明の給湯装置を使用して「加熱循環回路の湯を直接床暖房等の端末に循環させて暖房装置等を加熱する」ことは稀なケースであると想定されるが、本発明はこの様な実施態様を除外するものではない。
また貯留タンクは、蓄熱装置として機能するものである。なおこれらの構成及び作用効果は、後記する各発明に共通である。
【００１１】
本発明の給湯装置では、給湯回路から外部に至る湯の総量を制御する給湯総量制御手段を備える。そして給湯と暖房等との同時使用モードに際しては、熱源の発熱量の中の一定量が給湯に伴って給湯回路から外部に排出可能となる様な開度に総量制御手段を制御する。したがって本発明においては、給湯側に所定量の湯が必然的に確保される。そのため本発明では、給湯と暖房等との同時使用モードに際しても、最低限の給湯性能が確保される。
また本発明においては、熱源が発生させる熱エネルギーの残部が被加熱物の加熱や貯留タンクへの補給に回されることとなる。
【００１２】
また同様の課題を解決するための請求項２に記載の発明は、少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードにおいては、給湯に伴って給湯回路から外部に排出される熱量が熱源の発熱能力の範囲であってさらに所定の余裕熱量を残す範囲となる様に総量制御手段を制御することを特徴とする給湯装置である。
【００１３】
本発明の給湯装置についても給湯回路から外部に至る湯の総量を制御する給湯総量制御手段を備える。そして本発明においては、給湯に伴って給湯回路から外部に排出される熱量が熱源の発熱能力の範囲であってさらに所定の余裕熱量を残す範囲となる様に総量制御手段が制御される。そのため本発明では、給湯と暖房等との同時使用モードに際しても、最低限の給湯性能が確保される。加えて本発明では、所定の余裕熱量を残す範囲となる様に総量制御手段が制御されるので、被加熱物を加熱する熱量についても確保される。
【００１４】
また請求項３に記載の発明は、少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードによる使用の初期においては、熱源の発熱量の中の一定量が給湯に伴って給湯回路から外部に排出可能となる様な開度となる様に総量制御手段が規制され、その後、給湯に伴って給湯回路から外部に排出される熱量が熱源の発熱能力の範囲であってさらに所定の余裕熱量を残す範囲となる様に総量制御手段を制御することを特徴とする給湯装置である。
【００１５】
本発明の給湯装置では、同時使用モードによる使用の初期においては、熱源の発熱量の中の一定量が給湯に伴って給湯回路から外部に排出可能となる様な開度に総量制御手段を規制する。一方、その後は、給湯に伴って給湯回路から外部に排出される熱量が熱源の発熱能力の範囲であってさらに所定の余裕熱量を残す範囲となる様に総量制御手段を制御する。
【００１６】
また請求項４に記載の発明は、熱源の熱交換器を経由して給湯回路から外部に至る高温排出湯の流量と熱交換器を経由して加熱循環回路を循環する高温循環湯の流量の比率を制御する高温湯分配比率制御手段と、実際の給湯に伴って給湯回路から外部に排出される排出熱量を計測又は演算する排出熱量検知手段を有し、排出熱量検知手段によって検知された前記排出熱量と熱源の発熱能力から余裕熱量を演算し、給湯に必要な熱量を有する高温排出湯が給湯回路を流れ、且つ前記余裕熱量の範囲内であって被加熱物を加熱するのに必要な熱量を有する高温循環湯が加熱循環回路を循環する様に高温湯分配比率制御手段を動作させることを特徴とする請求項１乃至３のいずれかに記載の給湯装置である。
【００１７】
また請求項５に記載の発明は、少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、被加熱物の加熱と給湯との同時使用モードを備え、当該同時使用モードにおいては、熱交換器を経由して給湯回路から外部に至る高温排出湯の流量と熱交換器を経由して加熱循環回路を循環する高温循環湯の流量の比率を制御して高温排出湯と高温循環湯を分配することを特徴とする給湯装置である。
【００１８】
請求項４，５に記載の給湯装置では、高温湯分配比率制御手段を備え、高温湯分配比率制御手段によって給湯回路から外部に至る高温排出湯の流量と加熱循環回路を循環する高温循環湯の流量の比率を制御する。即ち本発明では、熱源によって加熱された高温湯を、高温湯分配比率制御手段によって、給湯回路側と加熱循環回路側に所定比率で分配する。
そのため本発明によると、給湯側にも暖房等の加熱側にも適度に高温湯が分配される。
【００１９】
また請求項６に記載の発明は、給湯装置に入水される入水の温度Ｔｃと、熱源に入水される熱源入水温度Ｔｔと、加熱循環回路における熱交換後の湯温Ｔｈに基づいて、高温排出湯の流量と高温循環湯の流量の比率を制御することを特徴とする請求項１乃至５のいずれかに記載の給湯装置である。
【００２０】
本発明では、各部に温度に基づいて給湯回路側と加熱循環回路側に高温湯を分配するので、流量センサ等の数を減少させることができる。
【００２１】
また請求項７に記載の発明は、  給湯回路と加熱循環回路は、熱源からの往き側流路に設けられた往き側分岐部から分岐され、給湯回路と加熱循環回路の少なくともいずれかであって前記往き側分岐部の下流側には流量制御弁が設けられ、貯留タンクは上部が給湯回路に接続され、貯留タンクの下部には入水路が接続され、さらに貯留タンクの下部は、熱源への戻り流路に設けられた戻り側分岐部から熱源に至る流路に接続され、給湯装置に入水される入水の温度を測定する入水温度検知手段と、戻り側分岐部から熱源に至る間に設けられた熱源入水温度検知手段と、加熱循環回路であって前記戻り側分岐部の上流側に設けられた加熱循環湯温度検知手段を有し、前記入水温度検知手段によって検知される入水の温度Ｔｃと、熱源入水温度検知手段によって検知される熱源入水温度Ｔｔと、加熱循環湯温度検知手段によって検知される湯温Ｔｈに基づいて前記流量制御弁を制御し、高温排出湯の流量と高温循環湯の流量の比率を制御することを特徴とする請求項１乃至５のいずれかに記載の給湯装置である。
【００２２】
本発明においても各部に温度に基づいて給湯回路側と加熱循環回路側に高温湯を分配するので、流量センサ等の数を減少させることができる。
【００２３】
また請求項８に記載の発明は、被加熱物は暖房装置であり、当該暖房装置を含む熱媒二次回路が形成され、熱排出用熱交換器を有し、当該熱排出用熱交換器の一次側は加熱循環回路に接続され、当該熱排出用熱交換器の二次側は熱媒二次回路に接続され、熱媒二次回路に回路を流れる熱媒体の温度を検知する熱媒検知手段が設けられ、熱媒体の温度の変動に応じて高温排出湯の流量と高温循環湯の流量の比率を変更することを特徴とする請求項４乃至７のいずれかに記載の給湯装置である。
【００２４】
本発明の給湯装置は、暖房装置を間接的に加熱するものである。そして本発明では、暖房装置に熱媒体を流す熱媒二次回路に熱媒検知手段が設けられ、熱媒体の温度の変動に応じて高温排出湯の流量と高温循環湯の流量の比率を変更する。そのため必要な熱量を暖房装置側に流すことができる。
【００２５】
また請求項９に記載の発明は、給湯を単独で賄うことが可能な熱源と、給湯を単独で賄うことができない熱源を有し、両者の熱交換器は直列に接続されていることを特徴とする請求項１乃至８のいずれかに記載の給湯装置である。
【００２６】
本発明は、コージェネレーションシステムを採用する給湯装置を想定したものであり、「給湯を単独で賄うことが可能な熱源」とは、例えばガスバーナを備えた温水装置であり、「給湯を単独で賄うことができない熱源」とはガスエンジンや燃料電池等の主として貯留タンクに温水を貯めることに使用される熱源である。
【発明の効果】
【００２７】
以上説明した様に、本発明の給湯装置は、被加熱物の加熱と給湯との同時使
用が可能であり、且つ同時使用時においても両者の使い勝手がよい。
【００２８】
特に請求項１，２，３に記載の発明では、給湯側に所定量の湯が必然的に確
保されるので、給湯と暖房等との同時使用モードに際しても、最低限の給湯性能が確保される。そのため本発明の給湯装置は、給湯と暖房等との同時使用モードにおいても確実に所定量の湯量が確保され、使い勝手がよい。
【００２９】
また特に請求項４，５に記載の給湯装置では、熱源によって加熱された高温
湯を、高温湯分配比率制御手段によって、給湯回路側と加熱循環回路側に所定
比率で分配するので、給湯側にも暖房等の加熱側にも適度に高温湯が分配され
る。そのため本発明の給湯装置は、給湯側と暖房側に配分される熱エネルギーのバランスがよく、給湯・暖房の双方ともに満足のゆく性能が発揮される。
【００３０】
また請求項６，７に記載の発明によると、各部に温度に基づいて給湯回路側
と加熱循環回路側に高温湯を分配するので、流量センサ等の数を減少させることができる効果があり、製作費用の低減に寄与することができる。
【００３１】
また請求項８に記載の発明は、本発明を暖房機に活用したものであり、暖房
装置側に流れる熱媒体の温度によって高温排出湯の流量と高温循環湯の流量の比率を変更するので、熱量を過不足無く暖房装置側に流すことができる。
【００３２】
また請求項９に記載の発明は、コージェネレーションシステムを採用する構
成例を示すものであり、産業の発達に寄与するものである。
【発明を実施するための最良の形態】
【００３３】
以下さらに本発明の実施形態について説明する。
図１は、本発明の第１実施形態である給湯装置の配管系統図である。図２は、図１に示す給湯装置が排熱貯湯運転モードで運転を行っている場合の作動原理図である。図３は、図１に示す給湯装置が貯留タンク内の湯水を用いて給湯を行う場合の作動原理図である。図４は、図１に示す給湯装置が落とし込み運転モードで運転を行っている場合の作動原理図である。図５は、図１に示す給湯装置が温水装置の熱を用いて給湯を行う場合の作動原理図である。図６は、図１に示す給湯装置が温水装置の熱を用いて運転モードで運転を行っている場合の作動原理図である。図７は、図１に示す給湯装置が温水装置の熱を用いて運転と暖房との同時使用モードで運転を行っている場合の作動原理図である。
【００３４】
図１において、１は本実施例の給湯装置である。本実施形態の給湯装置１は、コージェネレーションシステムを採用したものである。給湯装置１は、大別して発電部２と給湯部３とにより構成されるコージェネレーション系Ｓを形成している。発電部２は、ガスエンジン５を備えたものであり、コージェネレーション系Ｓの外にある電気機器等の外部負荷に電力を供給すると共に、発電に伴い発生した排熱により湯水を加熱することができる。また、給湯部３は、温水装置６（熱源）を備えたものであり、主として給湯栓７や床暖房やファンコンベクタ等の暖房装置８等に供給される湯水を加熱するものである。
【００３５】
給湯装置１は、発電部２および給湯部３の駆動を司る制御部１００を持つ駆動制御装置１０２を具備している。制御部１００は、発電部２および給湯部３に設けられた各センサの検知信号に基づいて弁の開閉を行ったり、ポンプやガスエンジン５、温水装置６等の駆動を司るものである。
【００３６】
発電部２は、大別してガスエンジン５と、ガスエンジン５によって駆動する発電機１０と、ヒータ１１とを具備している。発電部２において発生した電力は、コージェネレーション系Ｓの外部にある電気機器等の外部負荷や、ヒータ１１（内部負荷）に供給される。発電部２は、ガスエンジン５を冷却するための冷却回路１２を具備している。
【００３７】
冷却回路１２は、発電部２の外部、さらに詳細には給湯部３側にある排熱熱交換器３０および暖房熱交換器５７を経由して湯水を循環させるものである。冷却回路１２は、ガスエンジン５からバイパス分岐点Ａを経て排熱熱交換器３０に向けて湯水を流す往き側冷却水路１３と、その分岐水路である往き側分岐水路６１、並びに、排熱熱交換器３０からガスエンジン５側へと湯水を戻す戻り側冷却水路１５と、暖房熱交換器５７から戻る湯水が前記戻り側冷却水路１５に合流する戻り側合流水路６２とから構成されている。即ち、ガスエンジン５には排熱熱交換器３０と暖房熱交換器５７とが前記各水路によって並列に接続されている。冷却回路１２内を流れる湯水は、戻り側冷却水路１５の中途に設けられたポンプ１６によって圧送され、戻り側冷却水路１５側から往き側冷却水路１３側へと流れる。戻り側冷却水路１５内を流れる湯水は、ガスエンジン５の駆動に伴い発生した排熱により加熱され往き側冷却水路１３へと流出する。
【００３８】
ガスエンジン５と排熱熱交換器３０とを接続する往き側冷却水路１３の中途には、ヒータ１１が設けられている。ヒータ１１は、発電機１０と外部の電気機器等とを接続する配線１７から分岐された分岐配線１８に接続されている。ヒータ１１には、分岐配線１８を介して外部の電気機器等で消費しきれない余剰電力が供給されており、これにより発電機１０から外部電源（図示せず）への電力の逆潮流が防止されている。さらに詳細には、ヒータ１１は、後述する余剰電力制御部１０１によって制御可能なスイッチ２１が設けられており、このスイッチ２１を調整することによりヒータ１１への通電が調整される。
【００３９】
ガスエンジン５の排熱により加熱され、往き側冷却水路１３内を流れる湯水は、ヒータ１１を通過する際にさらに加熱されて排熱熱交換器３０へと流入する。排熱熱交換器３０において熱交換を行い低温となった湯水は、戻り側冷却水路１５を介してガスエンジン５へと戻る。
【００４０】
戻り側冷却水路１５の中途には、上記したポンプ１６の他に冷却水タンク２２とサーモスタット式の三方弁２５とが設けられている。また、三方弁２５は、後述する戻り側合流水路６２に設けられている三方弁２３と連通する連通流路２４に接続されている。さらに、戻り側冷却水路１５と往き側冷却水路１３との間には、両者をバイパスするバイパス流路２６が設けられている。冷却水タンク２２には、外部から湯水を供給するための給水管２７が設けられており、その中途に設けられている補給水弁２８によって冷却水タンク２２への給水量が調整される。また、三方弁２５は、ガスエンジン５側から排出される湯水の温度に応じて排熱熱交換器３０および暖房熱交換器５７側への湯水の往来を調整するものである。
【００４１】
さらに具体的には、ガスエンジン５の起動直後等のように、ガスエンジン５側から排出される湯水が所定温度以下である場合には、三方弁２５が作用し、排熱熱交換器３０および暖房熱交換器５７への入水が阻止される。即ち、ガスエンジン５側から排出される湯水が低温である場合、三方弁２５の作用によって排熱熱交換器３０および暖房熱交換器５７から戻り側冷却水路１５への通水が阻止されると共に、バイパス流路２６を介して往き側冷却水路１３と戻り側冷却水路１５とが連通した閉回路が形成される。そのため、往き側冷却水路１３内を流れる湯水は、バイパス流路２６を介して直接ガスエンジン５側へと流れ込む。
【００４２】
一方、ガスエンジン５側から排出される湯水が所定温度より高温である場合、三方弁２５の作用によって往き側冷却水路１３内を流れる湯水が、排熱熱交換器３０および暖房熱交換器５７へと流入する。排熱熱交換器３０および暖房熱交換器５７に流入した高温湯は、各熱交換器において熱交換を行った後、三方弁２３を介して戻り側冷却水路１５へと流入してガスエンジン５側へと戻る。
【００４３】
給湯部３は、燃料ガスを燃焼し湯水を加熱する温水装置６と、冷却回路１２内を流れるガスエンジン５の排熱により加熱された湯水と熱交換を行う排熱熱交換器３０と、貯留タンク３１（貯留部）とを具備している。給湯部３は、加熱循環回路３２と、ガスエンジン５および温水装置６において発生した熱によって加熱された湯水を給湯栓７を介して外部に供給する給湯回路３３とを備え、これに加えて暖房装置８等の熱負荷に接続される負荷循環回路（熱媒二次回路）３５と、湯水を浴槽に供給して循環させる浴槽循環回路３６とを有する。
【００４４】
なお温水装置６は、内部に１系統の熱交換器６ａを備えたものであり、バーナ６ｂの熱を受けて内部を通過する湯水を加熱するものである。
本実施形態では、熱源たる温水装置６の熱交換器６ａと、排熱熱交換器３０が直列に接続されている。
【００４５】
また、本実施形態の給湯装置１は、加熱循環回路３２と、貯留タンク３１とから構成される流水回路（閉回路Ｈ）が形成されている。
【００４６】
加熱循環回路３２は、高温湯往き側流路３８、熱交換部４５および高温湯戻り側流路４１からなる。
即ち加熱循環回路３２は、温水装置６の出湯口３７に接続された高温湯往き側流路３８と、熱交換部４５及び温水装置６の入湯口４０に接続された高温湯戻り側流路４１によって構成される一連の循環回路である。
また高温湯往き側流路３８は、温水装置６の出湯口３７と熱交換部４５の間の往き側分岐点１２０で分岐され、給湯回路３３側と接続されている。即ち出湯口３７と熱交換部４５の間の往き側分岐点１２０で、給湯往路８３が分岐されている。給湯往路８３は混合弁８０に繋がる
またさらに給湯往路８３からは、貯留タンク３１に至る貯留部給湯管８７が分岐されている。より具体的には、往き側分岐点１２０から枝分けされた給湯往路８３は、分岐部Ｄ1 において、混合弁８０側と、貯留タンク３１に繋がる貯留部給湯管８７とに分岐されている。貯留部給湯管８７が分岐される分岐部Ｄ1 の上流側（温水装置６側）に、高温湯分配制御比例弁８４が設けられている。即ち高温湯分配制御比例弁８４は、給湯往路８３であって往き側分岐点１２０と分岐部Ｄ1 の間に設けられている。
【００４７】
貯留タンク３１には、内部に貯留されている湯水の高さ方向の温度分布を検知するために、最上部温度センサ３４ａ、上部温度センサ３４ｂ、中部温度センサ３４ｃおよび下部温度センサ３４ｄが設けられている。また、高温湯戻り側流路４１には、熱交換部４５側から順に、エアセパレータ４６と、湯水を循環させる循環ポンプ４７と、排熱熱交換器３０に入水される湯の温度を検知する排熱熱交入水温度センサ１１４と、排熱熱交換器３０と、温水装置６への入水温度を検知する温水装置入水温度センサ１１５と、高温湯戻り側流路４１を流れる水量を検知する循環流量センサ５０と、温水装置６に流入する水量を調整する循環水比例弁５１とが接続されている。
【００４８】
高温湯戻り側流路４１の中途にあるエアセパレータ４６は、戻り側分岐部１２１に相当する位置にあり、加熱循環回路３２中に含まれている空気を外部に排出するものであって貯留タンク３１の下部に設けられた貯留部排出管８９が接続されている。また貯留タンク３１から戻り側分岐部１２１に至る間に、貯留タンク下流出側温度センサ１１３が設けられている。
排熱熱交換器３０は、上記した発電部２においてガスエンジン５の駆動に伴い発生した排熱により加熱された湯水と熱交換を行うことにより高温湯戻り側流路４１を流れる湯水を加熱するものである。そのため、通常ガスエンジン５の駆動中は、排熱熱交換器３０において加熱された湯水が高温湯戻り側流路４１を介して温水装置６に流入する。
【００４９】
排熱熱交換器３０の直前に設けられた排熱熱交入水温度センサ１１４は、前記した様に排熱熱交換器３０に入水される湯の温度を検知するものであり、排熱熱交換器３０と温水装置６の間に設けられた温水装置入水温度センサ１１５は、温水装置６への入水温度を検知するものであるが、いずれも戻り側分岐部たるエアセパレータ４６の部位から熱源たる温水装置６の間に設けられたものであり、ガスエンジン５が運転されていない場合には、同等の温度を示す。
【００５０】
熱交換部４５は、加熱循環回路３２の一部を構成するものであり、熱交換分岐流路９４の先端に設けられており、負荷循環回路３５の中途に設けられた負荷熱交換器４２と、負荷熱交出口電磁弁５２とを有する流路４５ａと、浴槽循環回路３６の中途に設けられた追焚熱交換器４３と追焚熱交出口電磁弁５３とを有する流路４５ｂとが並列に配されたものである。そのため、負荷熱交換器４２および追焚熱交換器４３への湯水の流入は、負荷熱交出口電磁弁５２および追焚熱交出口電磁弁５３によって調整される。
【００５１】
負荷熱交換器４２に接続されている負荷循環回路３５は、暖房装置８に湯水を供給する負荷往き側流路５５と、暖房装置８側から湯水を戻す負荷戻り側流路５６とを有する。負荷往き側流路５５には、負荷側（暖房装置８）側に送る湯水（熱媒体）の温度を測定する負荷往き側温度センサ１１１が設けられている。
負荷戻り側流路５６の中途には、暖房熱交換器５７と、負荷戻り側流路５６に湯水を補給する補給水タンク５８と、負荷戻り側流路５６から補給水タンク５８に流入する湯水の温度を検知する湯温センサ５４と、負荷戻り側流路５６内に湯水を循環させるための循環ポンプ６０とが設けられている。また、負荷循環回路３５には、暖房装置８への湯水の流入を阻止する弁（図示せず）が閉止状態である場合に循環ポンプ６０等に過負荷が作用するのを防止すべく、負荷往き側流路５５と負荷戻り側流路５６とをバイパスするバイパス流路６３が設けられている。
【００５２】
暖房熱交換器５７には、上記した発電部２の往き側冷却水路１３から分岐された往き側分岐水路６１と、戻り側冷却水路１５から分岐された戻り側合流水路６２とが接続されており、ガスエンジン５の排熱により加熱された高温の湯水が循環する。そのため、暖房装置８において放熱して低温となった湯水は、暖房熱交換器５７において往き側分岐水路６１により供給された高温の湯水と熱交換し、加熱される。暖房熱交換器５７において加熱された湯水は、補給水タンク５８を経て負荷熱交換器４２に流入し、負荷熱交換器４２での熱交換によりさらに加熱されたのち再び暖房装置８側へと送り込まれる。
【００５３】
追焚熱交換器４３に接続されている浴槽循環回路３６は、浴槽側に湯水を送り込む浴槽往き側流路６５と、浴槽側から湯水を戻す浴槽戻り側流路６６とを備えている。浴槽戻り側流路６６の中途には、浴槽の湯の温度を検知する浴槽内湯温センサ１１０と、浴槽内の水位を検知する水位センサ６７と、循環ポンプ６８と、水流スイッチ７０とが設けられている。また、浴槽戻り側流路６６の中途、さらに詳細には循環ポンプ６８と水流スイッチ７０との中間には、後述する給湯回路３３から分岐された給湯分岐流路７１が接続されている。給湯分岐流路７１には、給湯回路３３側から浴槽戻り側流路６６側への通水のみを許す逆止弁７２と、浴槽戻り側流路６６側に流入する水量を調整する注湯弁７３と、給湯分岐流路７１内を流れる湯水の流量を検知する流量センサ７５とが設けられている。
【００５４】
上記したように、浴槽戻り側流路６６には、給湯回路３３側からの湯水の流入を許す給湯分岐流路７１が接続されているため、浴槽往き側流路６５に加えて浴槽戻り側流路６６からも湯水を浴槽側に落とし込むことができる。
【００５５】
給湯回路３３は、具体的には、混合弁８０を介して高温湯往き側流路３８の中途で分岐された給湯往路８３と、外部から湯水を供給する給水管８５とが接続されたものであり、その中途には、流量センサ８１と、総量制御比例弁８２と、給湯温度センサ９５とが設けられている。
流量センサ８１は、総給水量を測定するものであり、その上流に設けられた総量制御比例弁８２は、総給水量を制御するものである。
【００５６】
給水管８５は、中途に減圧弁８８と、混合弁８０側に湯水を導く逆止弁９０と、外部から導入される湯水の温度を検知する入水温度センサ９３が設けられた流路であり、混合弁８０に接続されている。
【００５７】
給水管８５の中途には、外部から導入された湯水を貯留タンク３１側に向けて供給する貯留部給水管９１が接続されている。貯留部給水管９１は、貯留タンク３１の底部側に接続されており、中途に給水管８５側から貯留タンク３１側へ湯水を導く逆止弁８６が設けられている。また、貯留タンク３１の底部には、貯留タンク３１から湯水を排出する貯留部排出管８９が接続されている。貯留部排出管８９は、前記した通り温水装置６の入湯口４０に繋がる高温湯戻り側流路４１にエアセパレータ４６を介して接続されている。さらに、貯留タンク３１の上部には、給湯往路８３から分岐され、貯留タンク３１への湯水の流出入を行うための貯留部給湯管８７が接続されている。貯留タンク３１には、貯留部給湯管８７を通って貯留タンク３１の外部に流出する湯水と略同量の湯水が貯留部給水管９１を介して給水されるため、貯留タンク３１は常に満水状態に維持される。
【００５８】
続いて、本実施形態の給湯装置１における湯水の流れについて説明する。
給湯装置１は、後述する駆動制御装置１０２によって多数の運転モードで駆動制御されるものであり、各モード毎に湯水の流れが異なる。また主として貯湯タンク３１内の湯を利用する場合と、温水装置６を熱源とする場合があり、両者によって湯水の流れが異なる。
本明細書では、代表的なものに限って説明することとする。最初に主として貯湯タンク３１内の湯を利用する場合について説明する。
貯湯タンク３１内の湯を利用する動作として、代表的なものに貯留タンク３１に湯水を貯留する排熱貯留運転モードと、給湯栓７から湯水を排出する給湯運転モードと、浴槽内に湯水を落とし込む落とし込み運転モードがある。
【００５９】
先ず、排熱貯留運転モードである場合における湯水の流れについて、図２を参照しながら説明する。排熱貯留運転モードである場合、発電部２においてガスエンジン５が駆動を開始し、それに伴いポンプ１６が作動して冷却回路１２内を湯水が循環し始める。冷却回路１２内を流れる湯水は、ガスエンジン５の駆動に伴い発生する排熱により加熱される。また、ガスエンジン５の駆動に伴い、発電機１０において発生した電力のうち、発電機１０に接続されたコージェネレーション系Ｓの外部にある電気機器等において消費しきれない余剰の電力によりヒータ１１が作動し、往き側冷却水路１３内を流れる湯水がさらに加熱される。
【００６０】
ガスエンジン５の起動直後等のように、冷却回路１２内の湯水が低温である場合、三方弁２５は、連通流路２４を閉止し、戻り側冷却水路１５とバイパス流路２６とを連通するように作動する。そのため、往き側冷却水路１３内を流れる湯水は、バイパス流路２６を介して戻り側冷却水路１５側へと流れて循環し、排熱熱交換器３０や暖房熱交換器５７側には流れ込ない。また、ガスエンジン５の駆動に伴って冷却回路１２内の湯水が所定の温度以上となると、三方弁２３および三方弁２５が切り替わり、湯水が排熱熱交換器３０内を循環し始める。
【００６１】
一方、給湯部３では、循環ポンプ４７が駆動を開始し、貯留タンク３１の底部に設けられた貯留部排出管８９から貯留タンク３１内の湯水が高温湯戻り側流路４１側に流入する。高温湯戻り側流路４１内を流れる湯水は、排熱熱交換器３０においてガスエンジン５の排熱やヒータ１１によって加熱された湯水と熱交換を行って加熱された後、温水装置６の入湯口４０から温水装置６へ流入する。
【００６２】
排熱貯留運転モードでは温水装置６は燃焼停止状態であるため、入湯口４０から流入した湯水は、温水装置６内を素通りし、出湯口３７に接続された高温湯往き側流路３８へと流出する。ここで、高温湯往き側流路３８に流入した湯水の温度、即ち湯温センサ３９の検知温度が所定温度に達していない場合は、給湯往路８３の高温湯分配制御比例弁８４が閉成され、負荷熱交出口電磁弁５２あるいは追焚熱交出口電磁弁５３のうち少なくともいずれか一方（本実施形態では負荷熱交出口電磁弁５２）の弁が開成される。そのため、貯留タンク３１には、所定温度に達していない湯水が流入せず、温水装置６を出た湯水は熱交換部４５側の流路を流れて加熱循環回路３２内を循環する。即ち、高温湯往き側流路３８内を流れる湯水が低温である間は、高温湯往き側流路３８の中途にある高温湯分配制御比例弁８４の上流側と、貯留タンク３１の下流側とをバイパスする熱交分岐流路９４および熱交換部４５に湯水を循環させ、湯温が上昇するのを待つ。
【００６３】
一方、高温湯往き側流路３８内を流れる湯水が所定温度以上となると、高温湯分配制御比例弁８４が開成される。また、ここで混合弁８０は、給湯往路８３に対して閉止状態とされている。そのため、湯水は、高温湯往き側流路３８、熱交換分岐流路９４、流路４５ａおよび高温湯戻り側流路４１によって構成される閉回路内を循環しながら排熱熱交換器３１において加熱されると共に、貯留部給湯管８７を介して貯留タンク３１内に徐々に貯留される。そのため、貯留タンク３１内に貯留されている湯水は、下方から上方に向けて次第に高温となっている。即ち、貯留タンク３１内に貯留されている湯水は、上下方向に層状の温度分布を形成している。貯留タンク３１内に貯留されている湯水の略全体が所定温度以上となると、排熱貯湯モードによる湯水の貯留が完了する。さらに具体的には、貯留タンク３１の下部温度センサ３４ｄが所定の温度に達すると、駆動制御装置１０２は下部温度センサ３４ｄよりも上方に貯留されている湯水が所定温度に達しているものと判断し、排熱貯湯モードを完了させる。
【００６４】
続いて、給湯装置１が給湯運転モードである場合における湯水の流れを図３を参照しながら説明する。貯留タンク３１内に湯水が十分貯留されている場合、給湯栓７が開栓されると、給水管８５を介して外部から供給される低温の水の一部は、混合弁８０に向けて供給される。一方、外部から供給される低温の水の一部は、給水管８５から分岐された貯留部給水管９１を介して貯留タンク３１の底部に流入する。ここで、高温湯戻り側流路４１の中途に設けられた循環ポンプ４７は停止しており、高温湯分配制御比例弁８４は閉止あるいは大幅に開度が絞られている。そのため、貯留タンク３１の底部から湯水が流入しても、湯水は殆ど高温湯戻り側流路４１をはじめとする閉回路Ｈ側には流出しない。そのため、貯留タンク３１の底部から湯水が流入すると、この湯水によって貯留タンク３１内に貯留されている湯水が上方に押し上げらる。その結果、貯留タンク３１の上部側に貯留されている高温の湯水が貯留部給湯管８７から排出される。貯留部給湯管８７から排出された湯水は給湯往路８３内を流れ、混合弁８０側へと流れる。
【００６５】
混合弁８０は、給湯往路８３に対して開成されているため、貯留部給湯管８７から排出された湯水は混合弁８０に流入する。混合弁８０に流入した高温の湯水は、給水管８５を介して供給された低温の水と混合されて適温となり、給湯回路３３を介して給湯栓７から排出される。さらに詳細には、貯留タンク３１から流出し、給湯往路８３内を流れる湯水の温度を検知する湯温センサ９２と、外部から供給される湯水の温度を検知する入水温度センサ９３と、混合弁８０において混合され排出される湯水の温度を検知する給湯温度センサ９５との検知温度に応じて、給湯栓７から排出される湯水の温度が適温となるように混合弁８０における湯水の混合比率が調整される。混合弁８０において混合された湯水は、給湯回路３３および給湯栓７を介して外部に供給される。
【００６６】
続いて、給湯装置１が落とし込み運転モードである場合における湯水の流れを図４を参照しながら説明する。本実施形態の給湯装置１では、浴槽往き側流路６５に加えて、後述する追焚き運転モードにおいて浴槽内の湯水を給湯装置１側に戻す浴槽戻り側流路６６からも湯水が浴槽に落とし込まれる。
【００６７】
本実施形態の給湯装置１では、注湯弁７３が開成され、流量センサ７５が水流を検知すると、落とし込み運転モードが開始する。貯留タンク３１内に湯水が十分貯留されている場合、落とし込み運転モードが開始すると、上記した給湯運転モードにおけるのと同様にして浴槽へ落とし込まれる湯水の温度が調整される。即ち、給水管８５を介して外部から供給される低温の水の一部が、混合弁８０に向けて供給される。その一方で、外部から供給される湯水の残部は、貯留部給水管９１を介して貯留タンク３１の底部から流入する。これに伴い、貯留タンク３１の上部側に貯留されている高温の湯水が貯留部給湯管８７から排出され、混合弁８０に流れ込む。
【００６８】
混合弁８０に流入した高温の湯水は、給水管８５を介して供給された低温の水と混合されて適温に調整され、給湯回路３３へと流出する。給湯回路３３へ流入した湯水は、給湯回路３３から分岐された給湯分岐流路７１を流れ、浴槽戻り側流路６６に流入する。ここで、落とし込み運転モードの場合は循環ポンプ６８が停止しているため、浴槽戻り側流路６６に流入した湯水の一部は、浴槽戻り側流路６６を介して浴槽内に流入する。また、給湯分岐流路７１から浴槽戻り側流路６６へと流入した湯水の残部は、追焚熱交換器４３を迂回して浴槽往き側流路６５から浴槽へと流入する。水位センサ６７によって浴槽内の水位が所定の水位になったことが検知されると、注湯弁７３が閉止され、一連の落とし込み運転モードが完了する。
【００６９】
続いて温水装置６を熱源とする場合の動作モードについて説明する。温水装置６を熱源とする場合の動作モードとして、給湯栓７から湯水を排出する給湯運転モードと、暖房装置８等の熱負荷を駆動させる暖房運転モードと、給湯運転及び暖房運転を併用する同時使用モードがある。
給湯運転モードにおいては、図５に示すように温水装置６により湯水が加熱され、この湯水が給湯栓７から排出される。さらに詳細には、貯留タンク３１内の湯水が低温である状態で給湯栓７が開栓されると、循環ポンプ４７が起動し、高温湯分配制御比例弁８４が開成される。また、熱交換部４５にある負荷熱交出口電磁弁５２および追焚熱交出口電磁弁５３が閉止され、高温湯往き側流路３８から熱交分岐流路９４への湯水の流入が阻止される。またさらに、混合弁８０は、高温湯往き側流路３８を流れる湯水が流入する給湯往路８３および外部から導入される湯水が流れる給水管８５に対して開成される。そのため、外部から供給される低温の水の一部は、給水管８５を介して混合弁８０に至り、混合弁８０に接続された給湯回路３３へと流れ込む。また、外部から供給された湯水の残部は、給水管８５から分岐された貯留部給水管９１を通じて貯留タンク３１の下部から供給される。流量センサ８１によって給湯回路３３における水流が検知されると、温水装置６が燃焼作動を開始する。
【００７０】
貯留部給水管９１を介して外部から貯留タンク３１の下部に流入した湯水は、貯留部排出管８９から高温湯戻り側流路４１を介して温水装置６に流入する。温水装置６に流入した湯水は、燃焼作動に伴い発生した熱によって加熱された後、高温湯往き側流路３８および給湯往路８３を通じて混合弁８０に流入する。混合弁８０に流入した高温の湯水は、外部から給水管８５を介して供給された湯水と混合されて適温に調整され、給湯回路３３および給湯栓７を介して外部に供給される。
【００７１】
上記したように、給湯栓７が開栓されると、駆動制御装置１０２は、給湯装置１を給湯運転モードで作動させ、貯留タンク３１内の湯水または温水装置６によって加熱された湯水を用いて給湯を行う。給湯栓７が閉栓され、流量センサ８１が水流を検知しなくなると、駆動制御装置１０２は、最上部温度センサ３４ａの検知温度に基づき、貯留タンク３１内に温度Ｔ以上の高温の湯水が所定量γ以上貯留されているか否かを検知する。ここで、貯留タンク３１内に温度Ｔ以上の湯水が所定量γ以上貯留されている場合、即ち、最上部温度センサ３４ａの検知温度が温度Ｔ以上である場合、駆動制御装置１０２は温水装置６の燃焼作動等を停止させ一連の動作を完了する。
【００７２】
続いて、温水装置６を主たる熱源として、暖房装置８等の熱負荷を駆動させる暖房運転モードにおける湯水の流れについて図６に示す流水回路図を参照しながら説明する。なお温水装置６を主たる熱源として、暖房装置８等の熱負荷を駆動させる場合としては、余剰電力制御部１０１による制御が不能である場合や、駆動制御装置１０２と余剰電力制御部１０１とを繋ぐ通信線１０３が断線しているなどの理由で余剰電力制御部１０１と駆動制御装置１０２との通信が不可能である場合の様に、ガスエンジン５の使用を停止せざるを得ない場合である。また、ガスエンジン５をはじめとする発電部２が故障してしまった場合についても、温水装置６を主たる熱源として、暖房装置８等の熱負荷を駆動させる。
【００７３】
発電部２が制御不能となった様な状態で暖房装置８が起動すると、駆動制御装置１０２は、給湯部３の循環ポンプ４７の駆動を開始させると共に、追焚熱交出口電磁弁５３および高温湯分配制御比例弁８４を閉成し、負荷熱交出口電磁弁５２を開いて加熱循環回路３２内に湯水を循環させる。循環流量センサ５０が高温湯戻り側流路４１における通水を検知すると、駆動制御装置１０２は、温水装置６における燃焼作動を開始させ、加熱循環回路３２内を流れる湯水の加熱を開始させる。
【００７４】
続いて駆動制御装置１０２は、循環ポンプ６０を起動させ、暖房装置８に接続されている負荷循環回路３５内の湯水を循環させる。負荷循環回路３５内を流れる湯水は、温水装置６において加熱され、熱交換部４５の流路４５ａを流れる高温の湯水と、負荷熱交換器４２において熱交換を行い加熱される。
【００７５】
次に給湯運転及び暖房運転を併用する同時使用モードの動作について、図７の作動原理図及び図８，９のフローチャートを参照しつつ説明する。
【００７６】
同時使用モードにおける通水経路は、図７に示した通りであり、前記した給湯運転モードにおける通水経路と、暖房運転モードにおける通水経路を重ねたものとなる。
即ち、暖房運転が行なわれている状態は、前記した図６の通りであり、給湯部３の循環ポンプ４７が駆動され、追焚熱交出口電磁弁５３および高温湯分配制御比例弁８４が閉成され、負荷熱交出口電磁弁５２を開いて加熱循環回路３２内に湯水が循環している。また温水装置６における燃焼作動が行なわれ、加熱循環回路３２内を流れる湯水が加熱されている。
【００７７】
そしてこの状態で給湯栓７が開栓され、流量センサ８１によって給湯回路３３における水流が検知されると、循環ポンプ４７は運転した状態を維持し、高温湯分配制御比例弁８４が開成される。熱交換部４５は、先と同じ状態を維持し、追焚熱交出口電磁弁５３が閉成され、負荷熱交出口電磁弁５２が開かれる。またさらに、混合弁８０は、高温湯往き側流路３８を流れる湯水が流入する給湯往路８３および外部から導入される湯水が流れる給水管８５に対して開成される。そのため、外部から供給される低温の水の一部は、給水管８５を介して混合弁８０に至り、混合弁８０に接続された給湯回路３３へと流れ込む。また、外部から供給された湯水の残部は、給水管８５から分岐された貯留部給水管９１を通じて貯留タンク３１の下部から供給される。
【００７８】
貯留部給水管９１を介して外部から貯留タンク３１の下部に流入した湯水は、貯留部排出管８９から高温湯戻り側流路４１を介して温水装置６に流入する。温水装置６に流入した湯水は、温水装置６によって加熱された後、高温湯往き側流路３８および給湯往路８３を通じて混合弁８０に流入する。混合弁８０に流入した高温の湯水は、外部から給水管８５を介して供給された湯水と混合されて適温に調整され、給湯回路３３および給湯栓７を介して外部に供給される。
【００７９】
同時使用モードにおける通水経路は上記した通りであるが、本実施形態では、給湯に供される熱エネルギーと、暖房に供される熱エネルギーのバランスを以下に示す方策によって確保している。なお以下の説明では、「熱量」「熱エネルギー」「号」といった文言が併存するが、これらは発明の理解を容易にするためや、計算上の便宜のために使い分けたに過ぎない。正確には「号」は、単位時間あたりの熱量であり、「熱量」や「熱エネルギー」という場合は、総熱量をさす場合と単位時間あたりの熱量をさす場合が混在するが、本質的には同一である。従って例えば「号」という文言を「熱量」「熱エネルギー」と置き換えても良い。
また以下の制御は、駆動制御装置１０２内の図示しない制御装置によって司られる。
【００８０】
動作説明に戻ると、本実施形態の燃焼装置１では、温水装置６によって加熱され、温水装置６から吐出された高温湯を、給湯回路３３側と加熱循環回路３２側に適切に配分し、給湯に供される熱エネルギーと、暖房に供される熱エネルギーのバランスを確保する。また同時使用モードにおいては、基本的に給湯に優先して熱エネルギー（高温湯）を配分し、残余の高温湯を加熱循環回路３２側に配分する。
即ち給湯に優先して一定量の高温湯を配分し、残余の高温湯を加熱循環回路３２側に配分する。
【００８１】
例えば温水装置６の単位時間当たりの最大発熱量が１００であると仮定すると、一定量たる７５の熱量を給湯に割り当てる。具体的には最大発熱量で加熱された高温湯の内の７５％を給湯に使用できる湯量として確保する。そして残りの余裕熱量たる２５％の湯を加熱循環回路３２に循環させる。
【００８２】
また給湯栓７を最大に開いた場合であっても、一定割り当て量を越えない湯量しか給湯回路３３側に供給しない。例えば給湯栓７を最大に開いた場合であっても、高温湯の内の７５％を混合して設定温度となる湯量しか給湯されない様に総給湯量を絞る。具体的には、総量制御比例弁８２を制御して給湯流量を制御し、給湯栓７から高温湯の７５％相当しか出湯されない様に総給湯量を絞る。即ち高温湯と低温の水が混合弁８０で混合され、適度の温度となって給湯栓７から出湯されるが、この時に混合される高温湯の量が、温水装置６から吐出される高温湯の総量の一定量を越えない様に混合後の出湯総量を規制する。
本実施形態では、混合弁８０の下流側に総量制御比例弁８２が設けられており、当該総量制御比例弁８２によって給湯流量を規制することができる。また給湯流量はその下流側に設けられた流量センサ８１で検知することができる。
総量制御比例弁８２によって制御される給湯流量Ｑｉは次式によって求められる。
【００８３】
【数１】
2008134055.tif 000003
【００８４】
即ち本実施形態では、規制量（Ｑｉ）を温水装置６の給湯号数（発熱能力）
Ｎｔと、給湯回路３３への高温湯の分割比率ａと、給湯装置１の給湯設定温度Ｔと、給湯装置１への入水温度によって規制すべき給湯流量Ｑｉを求めている。給湯装置１の給湯設定温度Ｔを演算に使用したのは、総量制御比例弁８２の開度をより早期に確定させるためであるが、給湯設定温度Ｔに代わって実際の出湯温度を採用してもよい。
【００８５】
本実施形態によれば、給湯用として高温湯の７５％を確保するが、給湯に供
される高温湯が全体の７５％を越えることはない。
言い換えると、本実施形態では、給湯栓７の開度に対して最も適切な給湯量
を確保するのに必要な熱量が規定量を越えても一定割り当て量を越える湯量しか給湯回路３３側に供給しない。
例えば、給湯栓７の開度に対して最も適切な給湯量を確保するのに必要な熱
量が、温水装置６の最大発熱量の８０％であっても、給湯回路３３側には一定量たる７５％相当の湯量しか配分されない。
【００８６】
さらに本実施形態では、給湯栓７の開度に対して最も適切な給湯量を確保す
るのに必要な熱量が規定量を越え、且つ暖房装置８を適切に運転するのに最も適切な熱量についても規定量を越えても、一定割り当て量を越える湯量しか給湯回路３３側に供給せず、加熱循環回路３２にはその残余の高温湯しか循環させない。例えば、給湯栓７の開度に対して最も適切な給湯量を確保するのに必要な熱量が、温水装置の最大発熱量の８０％であり、暖房装置８を適切に運転するのに最も適切な熱量が温水装置の最大発熱量の３０％である場合であっても、給湯回路３３側には７５％相当の湯量が配分され、加熱循環回路３２には２５％相当の湯量が配分される。この様に、給湯回路３３側に７５％相当の湯量が配分され、加熱循環回路３２に２５％相当の湯量が配分されて温水装置６はフル稼働状態となる。
【００８７】
また給湯栓７の開度に対して最も適切な給湯量を確保するのに必要な熱量が
、規定量相当であり、暖房装置８を適切に運転するのに最も適切な熱量が規定量を越える場合であっても、給湯回路３３側には規定量の湯量が配分され、加熱循環回路３２にはその残余の高温湯が配分されない。例えば給湯栓７の開度に対して最も適切な給湯量を確保するのに必要な熱量が、温水装置の最大発熱量の７５％であり、暖房装置８を適切に運転するのに最も適切な熱量が温水装置の最大発熱量の３０％である場合であっても、給湯回路３３側には７５％相当の湯量が配分され、加熱循環回路３２には２５％相当の湯量しか配分されない。この様な場合は、給湯回路３３側に充分な熱量が確保され、暖房側は能力不足となる。
【００８８】
また給湯栓７の開度に対して最も適切な給湯量を確保するのに必要な熱量が
、規定量を越え、暖房装置８を適切に運転するのに最も適切な熱量が規定量未満である場合は、給湯回路３３側には規定量相当の湯量しか配分されず、加熱循環回路３２には要求量の湯量が配分される。例えば給湯栓７の開度に対して
最も適切な給湯量を確保するのに必要な熱量が、温水装置６の最大発熱量の８
０％であり、暖房装置１を適切に運転するのに最も適切な熱量が温水装置の最大発熱量の２０％である場合は、給湯回路３３側には７５％相当の湯量しか配分されず、加熱循環回路３２には２０％相当の湯量が配分される。なおこの場合には、温水装置６の吐出湯量を絞ることとなる。
この様に、暖房装置を適切に運転するのに最も適切な熱量が規定量未満であ
る場合は、給湯回路３３側に供給する湯量を増加させないことが望ましいが、余裕の範囲で給湯回路３３側に供給する湯量を増加させてもよい。
【００８９】
また実際に給湯に使用されている熱量が規定量未満である場合は、実際の余
裕熱量を演算し、余裕熱量の範囲内で加熱循環回路３２に流す高温湯を増量する。ただし、実際の余裕熱量が相当に大きくても、加熱循環回路３２への高温湯の量が無制限に多くなることは規制する。例えば実際の余裕熱量が最大発熱量の７５％であっても、加熱循環回路３２への高温湯の量は、最大発熱量の５０％以下に抑える。
本実施形態では、実際に給湯に使用されている熱量ｑｓは、高温湯の湯量に
換算して演算している。具体的には、次式によって給湯に必要な流量を演算しているが、熱量の式や号数の式であってもよい。
【００９０】
【数２】
2008134055.tif 000004
【００９１】
即ち本実施形態では、給湯装置１の給湯設定温度Ｔと、給湯装置への入水温
度Ｔｃと、温水装置６の設定温度ＢＵと、実際に給湯装置１から出湯される湯量Ｑｆに基づいて実際に給湯に使用されている熱量ｑｓを高温湯量に換算して演算している。
上記した数値の内、給湯装置１の給湯設定温度Ｔは、実際の給湯温度を採用
してもよい。また温水装置６の設定温度ＢＵについても実際の出湯温度を採用することができる。
【００９２】
また実際の余裕熱量を号数換算すると、次の式となる。なお号数とは、１リ
ットル／ｍｉｎの水を２５℃昇温させるのに必要な熱量である。
【００９３】
【数３】
2008134055.tif 000005
【００９４】
即ち加熱循環回路に分配可能な湯の相当号数（実際の余裕熱量を表す）Ｎｈ
を、温水装置１から吐出される高温湯の流量の最大値（温水装置１の最大能力）ｑｔと、実際に給湯に使用されている熱量ｑｓと、温水装置６の設定温度ＢＵと、給湯装置への入水温度Ｔｃを活用して演算している。
上記した数値の内、温水装置６の設定温度ＢＵに代えて実際の出湯温度を採
用することができる。
【００９５】
暖房のために実際に必要な高温湯の湯量ｑｗは、次の通りである。
【００９６】
【数４】
2008134055.tif 000006
【００９７】
即ち本実施形態では、暖房のために実際に必要な高温湯の湯量ｑｗを、暖房
のために実際に必要な高温湯の相当号数Ｎｗと、温水装置６の設定温度ＢＵ及び給湯装置への入水温度Ｔｃを活用して演算している。式の中で数字「２５」は、号数と熱量との換算に使用する定数である。号数換算によらず熱量計算による場合は、この定数は不要である。
【００９８】
また本実施形態では、給湯往路８３であって、貯留部給湯管８７が分岐され
る分岐部Ｄ1 の上流側（温水装置６側）に設けられた高温湯分配制御比例弁８４を調節して給湯回路３３から外部に至る高温排出湯の流量と加熱循環回路３２を循環する高温循環湯の流量の比率を制御する。即ち本実施形態では、高温湯往き側流路３８が温水装置６の出湯口３７と熱交換部４５の間で分岐され、給湯回路３３側と接続されている。具体的には、温水装置６の出湯口３７と熱交換部４５の間から給湯往路８３が分岐されている。そして給湯往路８３からさらに貯留タンク３１に繋がる貯留部給湯管８７が分岐されているが、給湯往路８３の始点から貯留部給湯管８７の間に高温湯分配制御比例弁８４が設けられており、当該高温湯分配制御比例弁８４を調節して給湯回路３３から外部に至る高温排出湯の流量と加熱循環回路３２を循環する高温循環湯の流量の比率を制御している。
なお本実施形態では、当該用途の弁を給湯回路３３側に設けたが、加熱循環
回路３２側に設けてもよい。
【００９９】
また本実施形態では、給湯装置に入水される入水の温度Ｔｃと、熱源に入水
される熱源入水温度Ｔｔと、加熱循環回路における熱交換後の湯温Ｔｈに基づいて、高温排出湯の流量と高温循環湯の流量の比率を制御する。
より具体的には、次の式１を満足する条件となる様に高温湯分配制御比例弁
８４を制御する。
【０１００】
【数５】
2008134055.tif 000007
【０１０１】
上記した給湯装置に入水される入水の温度Ｔｃは、入水温度センサ９３によ
って検知する。即ち給水管８５の入り口近傍に入水温度センサ９３が設けられており、当該入水温度センサ９３によって給湯装置に入水される入水の温度Ｔｃを測定する。なお、温水装置６を熱源として給湯及び暖房を行なう時は、多くの場合、貯留タンク３１内の水温が低く、貯留タンク３１の下部から出水される湯の温度は入水温度に近いから、貯留タンク３１から戻り側分岐部に至る間に設けられている貯留タンク下流出側温度センサ１１３の検知温度を入水の温度Ｔｃとしてもよい。
【０１０２】
また上記した熱源に入水される熱源入水温度Ｔｔは、温水装置６の手前に設
けられた温水装置入水温度センサ１１５によって検知する。ただし前記した様に、ガスエンジン５が運転されていない場合は排熱熱交換器３０の直前に設けられた排熱熱交入水温度センサ１１４も熱源に入水される入水の温度を示すので、排熱熱交入水温度センサ１１４の検知温度を熱源入水温度Ｔｔとしてもよい。
前記した様に排熱熱交入水温度センサ１１４は、排熱熱交換器３０に入水さ
れる湯の温度を検知するものであるが、当該温度センサも戻り側分岐部１２１位から熱源たる温水装置６の間に設けられたものであり、ガスエンジン５が運転されていない場合は温水装置入水温度センサ１１５と同等の温度を示す。
【０１０３】
給湯と暖房との同時使用が安定すると、給湯装置１内の温水装置６からは、
次の流量Ｘの高温湯が供給される。
【０１０４】
【数６】
2008134055.tif 000008
【０１０５】
次に、本実施形態の給湯装置１の実際の動作を図８のフローチャートに基づ
いて説明する。なお説明を簡単にするため、給湯装置１に内蔵される温水装置６の給湯能力を２０号とする。また温水装置が供給可能な高温湯の最大量は、１０リットル／ｍｉｎであると仮定する。
そして高温湯の最大量の内の７５％を給湯側に割り当てることとする。即ち
１５号相当の高温湯を給湯に割り当てる。そして残る２５％（５号相当）を暖房側に割り当てる。
【０１０６】
以下説明する。
暖房運転の最中に給湯栓７が開かれ、最小作動水量(Minimum Operation Qua
ntity)を検知すると、給湯運転と暖房運転の同時使用モードとなる。図８のフローチャートでは、ステップ１に移行し、初期設定が行なわれる。ステップ１では、所定の記憶手段に「Ｎｍａｘ＝５号」を記憶させる。ここでＮｍａｘとは、暖房のために使用する熱量の上限であり、説明を簡単にするために号数で表示することとする。
また温水装置６の吐出量Ｘを最大流量たる１０リットル吐出（一分間あたり
の吐出量  以下同様）に設定する。
【０１０７】
ステップ２では、循環水比例弁５１をＸリットル／ｍｉｎとなる様に制御す
る。即ち本実施形態の給湯装置１では、温水装置６に流入する水量を調整する循環水比例弁５１が設けられ、さらに当該循環水比例弁５１と直列に循環流量センサ５０が設けられている。ステップ２では、循環流量センサ５０を監視しつつ、循環水比例弁５１を制御して温水装置６に流入する水量をＸリットル／ｍｉｎとする旨の指令が送られる。ここで前記したステップ１で、温水装置６の吐出量Ｘを最大流量たる１０リットル吐出に設定したので、ステップ２以下では、温水装置６の吐出量が最大流量たる１０リットル／ｍｉｎとなる様に制御される。
【０１０８】
続くステップ３では、温水装置６が流量比例燃焼となる様に指令し、温水装
置６から常に最高温度の湯が出湯される様に設定する。
【０１０９】
そしてステップ４では、温水装置６の能力の７５％（１５号相当）の給湯が
なされる様に総量制御比例弁８２を制御する。即ち前記した式１で演算された給湯流量Ｑｉとなる様に総量制御比例弁８２を制御する。即ち本実施形態では、使用の初期においては、熱源の発熱量の中の一定量が給湯に伴って給湯回路から外部に排出可能となる様な開度に総量制御比例弁８２が制御される。
即ち本実施形態では、使用の初期においては、熱源の発熱量の中の一定量が
給湯に伴って給湯回路から外部に排出可能となる様な開度となる様に総量制御手段が規制される。
ただし制御するのは総量制御比例弁８２であるから、例えば給湯栓７が半開
であった場合の様に、総量制御比例弁８２の絞り量よりも他の部位における絞り量の方が大きい場合は、実質的に１５号相当の出湯はない。
【０１１０】
そこでステップ５に移行し、実際の給湯量から、実際にどの程度の高温湯が給湯と共に排出てれているかを演算する。具体的には、前記した式２によって
給湯のために実際に出湯される高温湯の湯量（高温排出湯の湯量）ｑｓを求める。
【０１１１】
次にステップ６に移行し、加熱循環回路に分配可能な湯の相当号数（暖房許
容号数）Ｎｈを演算する。具体的には上記した式３に基づく演算が行なわれる。
【０１１２】
さらにステップ７、ステップ８によって、Ｎｍａｘの確認と変更を行なう。
Ｎｍａｘは、前記した様に暖房のために使用する熱量の上限であり、説明を簡単にするために号数で表示している。
即ち前段のステップ６で加熱循環回路に分配可能な湯の相当号数（暖房許容
号数）Ｎｈを演算したので、暖房許容号数Ｎｈに余裕があるならば、Ｎｍａｘを上げてもよい。逆に暖房許容号数Ｎｈに余裕が無いならば、Ｎｍａｘを下げなければならない。
【０１１３】
そこでステップ７、ステップ８では、現状のＮｍａｘと暖房許容号数Ｎｈを
比較する。具体的には、ステップ７で暖房許容号数Ｎｈが「Ｎｍａｘ＋１．２」以上であるか否かを比較する。なお１．２という号数は、現状のＮｍａｘと暖房許容号数Ｎｈの差が過大であるか許容すべき範囲であるかの基準であり、設計により変更すべき数値である。本実施形態では、暖房許容号数Ｎｈが「Ｎｍａｘ＋１．２」以上である場合には、暖房許容号数（余裕）Ｎｈが現状の現状のＮｍａｘ（現状の上限）に比べて過大であるから、ステップ９に移行して暖房側に割り当て得る熱量の上限Ｎｍａｘを暖房許容号数（余裕）Ｎｈに一致させる。具体的には、暖房許容号数Ｎｈが「Ｎｍａｘ＋１．２」以上である場合には、暖房許容号数（余裕）Ｎｈが現状のＮｍａｘ（現状の上限）に比べて過大であるから、ステップ９に移行して暖房側に配分し得る熱量の上限Ｎｍａｘを上げる。
【０１１４】
一方、ステップ７で暖房許容号数Ｎｈが「Ｎｍａｘ＋１．２」未満であると
判断されると、暖房許容号数（余裕）Ｎｈは現状のＮｍａｘ（現状の上限）に比べて過大とは言えないから、ステップ８に移行し、暖房許容号数（余裕）Ｎｈが現状の現状のＮｍａｘ（現状の上限）に比べて過少ではないかを判断する。
【０１１５】
具体的には、ステップ８で暖房許容号数Ｎｈが「Ｎｍａｘ−０．５」未満で
あるか否かを比較する。なお０．５という号数は、現状のＮｍａｘと暖房許容号数Ｎｈの差が過大であるか許容すべき範囲であるかの基準であり、設計により変更すべき数値である。本実施形態では、暖房許容号数Ｎｈが「Ｎｍａｘ−０．５」未満である場合には、暖房許容号数（余裕）Ｎｈが現状の現状のＮｍａｘ（現状の上限）に比べて過少であるから、ステップ９に移行して暖房側に配分し得る熱量の上限Ｎｍａｘを暖房許容号数（余裕）Ｎｈに一致させる。具体的には、暖房許容号数Ｎｈが「Ｎｍａｘ−１．２」以上である場合には、暖房許容号数（余裕）Ｎｈが現状の現状のＮｍａｘ（現状の上限）に比べて過少であるから、ステップ９に移行して暖房側に配分し得る熱量の上限Ｎｍａｘを
上げる。
【０１１６】
暖房許容号数Ｎｈが「（Ｎｍａｘ−０．５）＜Ｎｈ≦（Ｎｍａｘ＋１．２）
」であるときは、現状のＮｍａｘは適切であるから、Ｎｍａｘを変更することなくステップ１０に移行する。
【０１１７】
続くステップ１０、ステップ１１では、Ｎｍａｘの数値そのものの過大・過
少を判断する。
即ち、温水装置６の発熱能力に対して暖房のために使用する熱量の上限が高
すぎる場合は、給湯側の余力が少なくなり、使い勝手が悪い。一方、Ｎｍａｘが低すぎる場合は、暖房側の能力が小さすぎて暖房装置８に熱エネルギーが行き渡らない。
本実施形態では、ステップ１０でＮｍａｘが１０号（温水装置の能力の５０
％）を越えるか否かを判断し、Ｎｍａｘが１０号を越える場合は、ステップ１２に移行してＮｍａｘを１０号に補正し、ステップ１４に進む。
【０１１８】
ステップ１０がＮＯであった場合は、ステップ１１に移行し、Ｎｍａｘが５
号（温水装置の能力の２５％）以下であるか否かを判定する。ステップ１０でＮｍａｘが５号（温水装置の能力の２５％）以下であると判定された場合は、ステップ１２に移行してＮｍａｘを５号に補正し、ステップ１４に進む。
【０１１９】
Ｎｍａｘが５号〜１０号である場合は、Ｎｍａｘは適正値であるから、補正
を行なわずにステップ１４に移行する。
【０１２０】
ステップ１４では、暖房装置８側の要求熱量に応じて暖房側に実際に配分す
る（加熱循環回路側に循環させる）熱量Ｎｗを演算する指令が出される。即ち暖房のために実際に必要な高温湯の相当号数を演算する。
【０１２１】
暖房のために実際に必要な熱量は、負荷循環回路（熱媒二次回路）３５であ
って、その負荷往き側流路５５に設けられた負荷往き側温度センサ１１１の検知温度に基づいて演算する。即ち負荷往き側流路５５を流れる湯の温度が所定の設定温度以下である場合は、加熱循環回路３２側の熱量が足りないことを意味している。逆に負荷往き側流路５５を流れる湯の温度が所定の設定温度を大幅に越える場合は、加熱循環回路側の熱量が過剰であることを意味している。従って負荷往き側温度センサ１１１の検知温度を監視し、当該検知温度が設定温度よりも高い場合は、加熱循環回路側を流れる高温湯の量を減少させ、検知温度が設定温度よりも低い場合は、加熱循環回路側を流れる高温湯の量を増加させることが望ましい。
【０１２２】
ただし、暖房装置８側の流路（熱媒二次回路）を流れる熱媒体は、暖房装置
８側に設けられた温度センサー等に応じて開閉される場合もあり、暖房装置８側で熱交換されることなく給湯装置１側に戻る場合もある。そのため暖房側（加熱循環回路３２側）に分配される熱量が適切であっても暖房装置８側の流路
を流れる熱媒体の温度は変動する。従って暖房装置８側の流路を流れる熱媒体
の温度変化に対して、加熱循環回路３２側を流れる高温湯の量変化を鋭敏に反応させると、ハンチングを起こしやすい。そのため暖房装置８側の流路を流れる熱媒体の温度は、できるだけ大きな許容範囲を持たせるべきであり、且つ加熱循環回路側を流れる高温湯の量変化は、できるだけ緩やかであることが望まれる。
【０１２３】
本実施形態では、上記した事情を踏まえ、ステップ１４で、暖房装置側の要
求熱量に応じて暖房側に割り当てる（加熱循環回路側に循環させる）熱量を演算する指令を出す。
具体的には、ステップ１４では、図９に示すサブルーチンが実行され、ステ
ップ１０１で負荷往き側流路（暖房往路）５５の温度（負荷往き側温度センサ１１１の検知温度）が設定温度よりも５℃を越えて高いか否かを検知し、ステップ１０２，１０３でこの状態が５秒間続くか否かを判定する。
ステップ１０１，１０２，１０３で負荷往き側流路（暖房往路）５５の温度
が設定温度よりも５℃を越える状態が５秒間続いたことが判定されると、加熱循環回路側の熱量が過剰であるから、暖房側に実際に配分する（加熱循環回路側に循環させる）熱量Ｎｗを１号減ずる。ただし暖房側に実際に配分する熱量Ｎｗが１号相当を下回ることはない。
【０１２４】
前記したステップ１０１がＮＯであった場合に進むステップ１０５〜１１２
は、逆に負荷往き側流路５５を流れる熱媒体の温度が所定の設定温度以下である場合の動作を示す。特にこの中で、ステップ１０５〜１０８は、前記温度が設定温度に比べて大幅に低い場合の動作であり、ステップ１０９〜１１２は、前記温度が設定温度に比べて少し低い場合の動作である。
【０１２５】
即ち前記したステップ１０１がＮＯであった場合にはステップ１０５、ステ
ップ１０６に進み、１分間の遅延時間を置く。即ち先の温度測定から所定の時間間隔を置いて、再度負荷往き側流路５５を流れる熱媒体の温度を測定する（ステップ１０７）。そして熱媒温度が設定温度よりも１０℃を越えて低い場合、ステップ１０８に進み、暖房側に実際に配分する（加熱循環回路側に循環させる）熱量Ｎｗを２号増加させる。即ち負荷往き側流路５５を流れる熱媒体の温度が設定温度よりも１０℃を越えて低い場合は、暖房側に実際に配分する熱量が大幅に足りない。そこでこの様な場合には、暖房側に実際に配分する熱量Ｎｗを２号増加させる。
【０１２６】
前記したステップ１０７がＮＯである場合は、ステップ１０９，１１０で更
に一分間の遅延時間をおいて再度負荷往き側流路５５を流れる熱媒体の温度を測定（ステップ１１１）する。
そして熱媒温度が設定温度よりも２℃を越えて低い場合、ステップ１１２に
進み、暖房側に実際に配分する（加熱循環回路側に循環させる）熱量Ｎｗを１号増加させる。即ち負荷往き側流路５５を流れる熱媒体の温度が設定温度よりも２℃〜１０℃の範囲で低い場合は、暖房側に実際に配分する熱量が少し足り
な
い状況である。そこでこの様な場合には、暖房側に実際に配分する熱量Ｎｗを
１号増加させる。
【０１２７】
前記したステップ１１１がＮＯである場合は、再度負荷往き側流路５５を流
れる熱媒体の温度が許容範囲であると言えるから、暖房側に実際に配分する熱量Ｎｗを変更することなくサブルーチンを終え、図８に示すステップ１５に戻る。
【０１２８】
ステップ１５では、前記した式４に基づいて、暖房のために必要な高温湯の
湯量ｑｗを演算する。
【０１２９】
そしてステップ１６に進み、温水装置６から出湯される高温湯が、ステップ
５で演算した実際に出湯される高温湯の湯量（高温排出湯の湯量）ｑｓと、ステップ１５で演算した暖房のために必要な高温湯の湯量ｑｗとに分配される様に高温湯分配制御比例弁８４を調整する。より具体的には、前記した式５が成立する様に高温湯分配制御比例弁８４を調整する。
【０１３０】
そしてステップ１７に移行し、温水装置６の吐出量の記憶値Ｘを前記した実
際に出湯される高温湯の湯量ｑｓと、暖房のために必要な高温湯の湯量ｑｗの合計に書き換える。
【０１３１】
そしてステップ２に戻り、先の工程を繰り返す。
即ちステップ２で、新たに記憶された温水装置６の吐出量の記憶値Ｘに基づ
いて循環水比例弁５１を制御する。そしてステップ３に進み、温水装置６から常に最高温度の湯が出湯さる様に制御し、さらにステップ４以下の制御を行なう。
【０１３２】
したがって本実施形態では、給湯回路と加熱循環回路に高温湯がバランス良
く配分される。
以上説明した実施形態は、本発明をエンジン内蔵のコージェネレーションシ
ステムを活用した給湯装置として説明したが、燃料電池等の排熱を利用したコージェネレーションシステムを採用した給湯装置にも本発明を活用することができる。
【図面の簡単な説明】
【０１３３】
【図１】本発明の第１実施形態である給湯装置の配管系統図である。
【図２】図１に示す給湯装置が排熱貯湯運転モードで運転を行っている場合の作動原理図である。
【図３】図１に示す給湯装置が貯留タンク内の湯水を用いて給湯を行う場合の作動原理図である。
【図４】図１に示す給湯装置が落とし込み運転モードで運転を行っている場合の作動原理図である。
【図５】図１に示す給湯装置が温水装置の熱を用いて給湯を行う場合の作動原理図である。
【図６】図１に示す給湯装置が温水装置の熱を用いて運転モードで運転を行っている場合の作動原理図である。
【図７】図１に示す給湯装置が温水装置の熱を用いて運転と暖房との同時使用モードで運転を行っている場合の作動原理図である。
【図８】図１に示す給湯装置が温水装置の熱を用いて運転と暖房との同時使用モードで運転を行っている場合の主動作を示すフローチャート図である。
【図９】図１に示す給湯装置が温水装置の熱を用いて運転と暖房との同時使用モードで運転を行っている場合のサブルーチン動作を示すフローチャート図である。
【符号の説明】
【０１３４】
１    給湯装置
２    発電部
３    給湯部
５    ガスエンジン
６    温水装置（熱源）
６ａ  熱交換器
７    給湯栓
８    暖房装置（熱負荷）
３２    加熱循環回路
３３    給湯回路
３５    負荷循環回路（熱媒二次回路）
３８    高温湯往き側流路
４１    高温湯戻り側流路
８１    流量センサ
８２    総量制御比例弁
８４    高温湯分配制御比例弁
９３    入水温度センサ
９５    給湯温度センサ
１１１    負荷往き側温度センサ
１１３    貯留タンク下流出側温度センサ
１１４    排熱熱交入水温度センサ
１１５    温水装置入水温度センサ
１２０    往き側分岐点
１２１    戻り側分岐部
【図１】
2008134055.tif 000009
【図２】
2008134055.tif 000010
【図３】
2008134055.tif 000011
【図４】
2008134055.tif 000012
【図５】
2008134055.tif 000013
【図６】
2008134055.tif 000014
【図７】
2008134055.tif 000015
【図８】
2008134055.tif 000016
【図９】
2008134055.tif 000017
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、被加熱物の加熱と給湯との同時使用モードを備え、当該同時使用モードにおいては、熱交換器を経由して給湯回路から外部に至る高温排出湯の流量と熱交換器を経由して加熱循環回路を循環する高温循環湯の流量の比率を制御して高温排出湯と高温循環湯を分配するものであり、給湯装置に入水される入水の温度Ｔｃと、熱源に入水される熱源入水温度Ｔｔと、加熱循環回路における熱交換後の湯温Ｔｈに基づいて、高温排出湯の流量と高温循環湯の流量の比率を制御することを特徴とする給湯装置。
【請求項２】
給湯回路と加熱循環回路は、熱源からの往き側流路に設けられた往き側分岐部から分岐され、給湯回路と加熱循環回路の少なくともいずれかであって前記往き側分岐部の下流側には流量制御弁が設けられ、貯留タンクは上部が給湯回路に接続され、貯留タンクの下部には入水路が接続され、さらに貯留タンクの下部は、熱源への戻り流路に設けられた戻り側分岐部から熱源に至る流路に接続され、給湯装置に入水される入水の温度を測定する入水温度検知手段と、戻り側分岐部から熱源に至る間に設けられた熱源入水温度検知手段と、加熱循環回路であって前記戻り側分岐部の上流側に設けられた加熱循環湯温度検知手段を有し、前記入水温度検知手段によって検知される入水の温度Ｔｃと、熱源入水温度検知手段によって検知される熱源入水温度Ｔｔと、加熱循環湯温度検知手段によって検知される湯温Ｔｈに基づいて前記流量制御弁を制御し、高温排出湯の流量と高温循環湯の流量の比率を制御することを特徴とする請求項１に記載の給湯装置。
【請求項３】
被加熱物は暖房装置であり、当該暖房装置を含む熱媒二次回路が形成され、熱排出用熱交換器を有し、当該熱排出用熱交換器の一次側は加熱循環回路に接続され、当該熱排出用熱交換器の二次側は熱媒二次回路に接続され、熱媒二次回路に回路を流れる熱媒体の温度を検知する熱媒検知手段が設けられ、熱媒体の温度の変動に応じて高温排出湯の流量と高温循環湯の流量の比率を変更することを特徴とする請求項１又は２に記載の給湯装置。
【請求項４】
給湯を単独で賄うことが可能な熱源と、給湯を単独で賄うことができない熱源を有し、両者の熱交換器は直列に接続されていることを特徴とする請求項１乃至３のいずれかに記載の給湯装置。
【手続補正２】
【補正対象書類名】明細書
【補正対象項目名】全文
【補正方法】変更
【補正の内容】
【発明の詳細な説明】
【技術分野】
【０００１】
本発明は給湯装置に関するものであり、特に蓄熱用の貯留タンクを有する給湯装置に関するものである。特に本発明の給湯装置は、コージェネレーションシステムを活用した給湯装置として好適である。
【背景技術】
【０００２】
近年、環境問題や省エネルギー等の観点から、コージェネレーションシステムの研究が盛んである。
コージェネレーションシステムの一例として、たとえばガスや液体燃料を使用するエンジンによって発電機を駆動し、さらにエンジンの発熱によって熱エネルギーを取り出すものがある。また燃料電池によって電力と熱を取り出す方策も研究されている。
【０００３】
【特許文献１】特開２００１−２９６０５３号公報
【特許文献２】特開２００１−２５５００１号公報
【特許文献３】特開２００２−３１４０８号公報
【発明の開示】
【発明が解決しようとする課題】
【０００４】
ところでこれらのコージェネレーションシステムを一般家庭で使用する方策を考えると、電力の消費時期と熱の消費時期が合わないという問題や、熱使用時の単位時間当たりの必要量に比べてエンジン等の発熱量が過少であるという問題に直面する。即ち電力は、ほぼ一日中使用するものであって貯め置くことができない。そのため発電機等は、比較的長時間に渡って運転される。
これに対して、熱は、比較的短時間に使用される。たとえば熱を給湯に活用する場合を考えると、風呂に入るとか炊事をするといった場合にのみ熱が消費され、夜中や日中は熱の消費が少ない。さらに熱は、短時間ではあるが、単位時間当たりの消費量が大きいという性質を持つ。したがって、エンジンを運転し、その時の発熱だけによって大量の湯を瞬間的に得ることはできない。
【０００５】
そこで本発明者らは、給湯装置の内部に貯留タンクを設け、当該タンクに蓄熱することを考えた。
即ち発電のためにエンジン等は長時間に渡って運転されるから、その間にすこしづつ湯を作る。そして湯を貯留タンクに貯め置き、必要な時に貯留タンクから湯を取り出して使用に供する。
【０００６】
上記した様に、エンジン等によって湯をすこしずつ貯め、必要な時にその湯を使用し、そして貯められた湯によって必要な湯量のすべてを賄えることが理想ではある。しかしながら、実際には、貯留タンクに湯が不足している時に給湯が必要な場合も少なくない。そこで本発明者らは、この様な場合に備えて、エンジン等の熱源に加えて、給湯を単独で賄うことが可能な補助熱源を内蔵する給湯装置を試作した。
また当該試作器は、市場の要求に合わせて、給湯だけでなく、床暖房を行う用途にも活用できるものとした。即ち試作器では、給湯を単独で行う給湯単独モードと、床暖房やファンコンベクタ等による暖房を単独で行う暖房単独モードと、給湯と暖房を同時に行う同時使用モードを有する。また当該試作器は、上記した給湯単独モード、暖房単独モード及び同時使用モードを、貯留タンクの湯を使用して実行する場合と、補助熱源を使用して実行する場合と、貯留タンクの湯及び補助熱源の双方を併用して実行する場合がある。
【０００７】
そして実際に試作器を運転したところ、補助熱源を使用して同時使用モードを実行する場合に不具合が生じた。
即ち、補助熱源を使用して給湯と暖房を併用する場合、補助熱源によって作られる湯を給湯回路と加熱循環回路の双方に分配しなければならない。しかしながら上記した給湯装置では、蓄熱用の貯留タンクがあるため、給湯回路や加熱循環回路に行くべき湯が貯留タンクに流れ込む場合があり、所望温度の湯が給湯されなかったり、床暖房側に過度に高温の湯が流れ込んでしまう場合があった。
【０００８】
そこで本発明は、従来技術の上記した問題点に注目し、貯留タンクを有することを前提として、被加熱物の加熱と給湯との同時使用モードにおける望ましい制御方法を確立し、貯留タンクを有して省エネルギー効果が高く、使いやすい給湯装置を実現させることを技術的課題とする。
【課題を解決するための手段】
【０００９】
そして上記した課題を解決するための発明（関連発明）は、少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードにおいては、熱源の発熱量の中の一定量が給湯に伴って給湯回路から外部に排出可能となる様な開度に総量制御手段を制御する機能を備え、さらに熱源の熱交換器を経由して給湯回路から外部に至る高温排出湯の流量と熱交換器を経由して加熱循環回路を循環する高温循環湯の流量の比率を制御する高温湯分配比率制御手段と、実際の給湯に伴って給湯回路から外部に排出される排出熱量を計測又は演算する排出熱量検知手段を有し、排出熱量検知手段によって検知された前記排出熱量と熱源の発熱能力から余裕熱量を演算し、給湯に必要な熱量を有する高温排出湯が給湯回路を流れ、且つ前記余裕熱量の範囲内であって被加熱物を加熱するのに必要な熱量を有する高温循環湯が加熱循環回路を循環する様に高温湯分配比率制御手段を動作させることを特徴とする給湯装置である。
【００１０】
本発明の給湯装置は、コージェネレーションシステムに採用することが望ましいものであり、「熱源」は、補助熱源として使用されることが望ましいものである。本発明の給湯装置では、湯水を循環させて被加熱物を直接的又は間接的に加熱する加熱循環回路を備える。ここで「被加熱物を直接的」に加熱するとは、加熱循環回路の湯を直接床暖房等の端末に循環させて暖房装置等を加熱する場合であり、「被加熱物を間接的」に加熱するとは、加熱循環回路に熱交換器の一次側を接続し、二次側に暖房装置等を接続する場合を指す。即ち本発明の給湯装置を使用して「加熱循環回路の湯を直接床暖房等の端末に循環させて暖房装置等を加熱する」ことは稀なケースであると想定されるが、本発明はこの様な実施態様を除外するものではない。
また貯留タンクは、蓄熱装置として機能するものである。なおこれらの構成及び作用効果は、後記する各発明に共通である。
【００１１】
本発明の給湯装置では、給湯回路から外部に至る湯の総量を制御する給湯総量制御手段を備える。そして給湯と暖房等との同時使用モードに際しては、熱源の発熱量の中の一定量が給湯に伴って給湯回路から外部に排出可能となる様な開度に総量制御手段を制御する。したがって本発明においては、給湯側に所定量の湯が必然的に確保される。そのため本発明では、給湯と暖房等との同時使用モードに際しても、最低限の給湯性能が確保される。
また本発明においては、熱源が発生させる熱エネルギーの残部が被加熱物の加熱や貯留タンクへの補給に回されることとなる。
【００１２】
また同様の課題を解決するための他の発明（関連発明）は、少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードにおいては、給湯に伴って給湯回路から外部に排出される熱量が熱源の発熱能力の範囲であってさらに所定の余裕熱量を残す範囲となる様に総量制御手段を制御する機能を備え、さらに熱源の熱交換器を経由して給湯回路から外部に至る高温排出湯の流量と熱交換器を経由して加熱循環回路を循環する高温循環湯の流量の比率を制御する高温湯分配比率制御手段と、実際の給湯に伴って給湯回路から外部に排出される排出熱量を計測又は演算する排出熱量検知手段を有し、排出熱量検知手段によって検知された前記排出熱量と熱源の発熱能力から余裕熱量を演算し、給湯に必要な熱量を有する高温排出湯が給湯回路を流れ、且つ前記余裕熱量の範囲内であって被加熱物を加熱するのに必要な熱量を有する高温循環湯が加熱循環回路を循環する様に高温湯分配比率制御手段を動作させることを特徴とする給湯装置である。
【００１３】
本発明の給湯装置についても給湯回路から外部に至る湯の総量を制御する給湯総量制御手段を備える。そして本発明においては、給湯に伴って給湯回路から外部に排出される熱量が熱源の発熱能力の範囲であってさらに所定の余裕熱量を残す範囲となる様に総量制御手段が制御される。そのため本発明では、給湯と暖房等との同時使用モードに際しても、最低限の給湯性能が確保される。加えて本発明では、所定の余裕熱量を残す範囲となる様に総量制御手段が制御されるので、被加熱物を加熱する熱量についても確保される。
【００１４】
またさらに他の関連発明は、少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、給湯回路から外部に至る湯の総量を制御する給湯総量制御手段を有し、被加熱物の加熱と給湯との同時使用モードを備え、当該同時使用モードによる使用の初期においては、熱源の発熱量の中の一定量が給湯に伴って給湯回路から外部に排出可能となる様な開度となる様に総量制御手段が規制され、その後、給湯に伴って給湯回路から外部に排出される熱量が熱源の発熱能力の範囲であってさらに所定の余裕熱量を残す範囲となる様に総量制御手段を制御する機能を備え、さらに熱源の熱交換器を経由して給湯回路から外部に至る高温排出湯の流量と熱交換器を経由して加熱循環回路を循環する高温循環湯の流量の比率を制御する高温湯分配比率制御手段と、実際の給湯に伴って給湯回路から外部に排出される排出熱量を計測又は演算する排出熱量検知手段を有し、排出熱量検知手段によって検知された前記排出熱量と熱源の発熱能力から余裕熱量を演算し、給湯に必要な熱量を有する高温排出湯が給湯回路を流れ、且つ前記余裕熱量の範囲内であって被加熱物を加熱するのに必要な熱量を有する高温循環湯が加熱循環回路を循環する様に高温湯分配比率制御手段を動作させることを特徴とする給湯装置である。
【００１５】
本発明の給湯装置では、同時使用モードによる使用の初期においては、熱源の発熱量の中の一定量が給湯に伴って給湯回路から外部に排出可能となる様な開度に総量制御手段を規制する。一方、その後は、給湯に伴って給湯回路から外部に排出される熱量が熱源の発熱能力の範囲であってさらに所定の余裕熱量を残す範囲となる様に総量制御手段を制御する。
【００１６】
また前記した発明は、いずれも熱源の熱交換器を経由して給湯回路から外部に至る高温排出湯の流量と熱交換器を経由して加熱循環回路を循環する高温循環湯の流量の比率を制御する高温湯分配比率制御手段と、実際の給湯に伴って給湯回路から外部に排出される排出熱量を計測又は演算する排出熱量検知手段を有し、排出熱量検知手段によって検知された前記排出熱量と熱源の発熱能力から余裕熱量を演算し、給湯に必要な熱量を有する高温排出湯が給湯回路を流れ、且つ前記余裕熱量の範囲内であって被加熱物を加熱するのに必要な熱量を有する高温循環湯が加熱循環回路を循環する様に高温湯分配比率制御手段を動作させる構成を備えている。
【００１７】
また請求項１に記載の発明は、少なくとも１系統の熱交換器を備えた熱源と、湯水を循環させて被加熱物を直接的又は間接的に加熱する加熱循環回路と、加熱された高温湯を直接的に又は水と混合して外部に湯を供給する給湯回路と、貯留タンクを有し、前記熱源の同一系統の熱交換器が、前記加熱循環回路、給湯回路及び貯留タンクに接続され、同一系統の熱交換器が、被加熱物の加熱及び給湯を兼ねる給湯装置であって、被加熱物の加熱と給湯との同時使用モードを備え、当該同時使用モードにおいては、熱交換器を経由して給湯回路から外部に至る高温排出湯の流量と熱交換器を経由して加熱循環回路を循環する高温循環湯の流量の比率を制御して高温排出湯と高温循環湯を分配するものであり、給湯装置に入水される入水の温度Ｔｃと、熱源に入水される熱源入水温度Ｔｔと、加熱循環回路における熱交換後の湯温Ｔｈに基づいて、高温排出湯の流量と高温循環湯の流量の比率を制御することを特徴とする給湯装置である。
【００１８】
請求項１に記載の給湯装置では、高温湯分配比率制御手段を備え、高温湯分配比率制御手段によって給湯回路から外部に至る高温排出湯の流量と加熱循環回路を循環する高温循環湯の流量の比率を制御する。即ち本発明では、熱源によって加熱された高温湯を、高温湯分配比率制御手段によって、給湯回路側と加熱循環回路側に所定比率で分配する。
そのため本発明によると、給湯側にも暖房等の加熱側にも適度に高温湯が分配される。
【００１９】
【００２０】
また本発明では、各部に温度に基づいて給湯回路側と加熱循環回路側に高温湯を分配するので、流量センサ等の数を減少させることができる。
【００２１】
また請求項２に記載の発明は、給湯回路と加熱循環回路は、熱源からの往き側流路に設けられた往き側分岐部から分岐され、給湯回路と加熱循環回路の少なくともいずれかであって前記往き側分岐部の下流側には流量制御弁が設けられ、貯留タンクは上部が給湯回路に接続され、貯留タンクの下部には入水路が接続され、さらに貯留タンクの下部は、熱源への戻り流路に設けられた戻り側分岐部から熱源に至る流路に接続され、給湯装置に入水される入水の温度を測定する入水温度検知手段と、戻り側分岐部から熱源に至る間に設けられた熱源入水温度検知手段と、加熱循環回路であって前記戻り側分岐部の上流側に設けられた加熱循環湯温度検知手段を有し、前記入水温度検知手段によって検知される入水の温度Ｔｃと、熱源入水温度検知手段によって検知される熱源入水温度Ｔｔと、加熱循環湯温度検知手段によって検知される湯温Ｔｈに基づいて前記流量制御弁を制御し、高温排出湯の流量と高温循環湯の流量の比率を制御することを特徴とする請求項１に記載の給湯装置である。
【００２２】
本発明においても各部に温度に基づいて給湯回路側と加熱循環回路側に高温湯を分配するので、流量センサ等の数を減少させることができる。
【００２３】
また請求項３に記載の発明は、被加熱物は暖房装置であり、当該暖房装置を含む熱媒二次回路が形成され、熱排出用熱交換器を有し、当該熱排出用熱交換器の一次側は加熱循環回路に接続され、当該熱排出用熱交換器の二次側は熱媒二次回路に接続され、熱媒二次回路に回路を流れる熱媒体の温度を検知する熱媒検知手段が設けられ、熱媒体の温度の変動に応じて高温排出湯の流量と高温循環湯の流量の比率を変更することを特徴とする請求項１又は２に記載の給湯装置である。
【００２４】
本発明の給湯装置は、暖房装置を間接的に加熱するものである。そして本発明では、暖房装置に熱媒体を流す熱媒二次回路に熱媒検知手段が設けられ、熱媒体の温度の変動に応じて高温排出湯の流量と高温循環湯の流量の比率を変更する。そのため必要な熱量を暖房装置側に流すことができる。
【００２５】
また請求項４に記載の発明は、給湯を単独で賄うことが可能な熱源と、給湯を単独で賄うことができない熱源を有し、両者の熱交換器は直列に接続されていることを特徴とする請求項１乃至３のいずれかに記載の給湯装置である。
【００２６】
本発明は、コージェネレーションシステムを採用する給湯装置を想定したものであり、「給湯を単独で賄うことが可能な熱源」とは、例えばガスバーナを備えた温水装置であり、「給湯を単独で賄うことができない熱源」とはガスエンジンや燃料電池等の主として貯留タンクに温水を貯めることに使用される熱源である。
【発明の効果】
【００２７】
以上説明した様に、本発明の給湯装置は、被加熱物の加熱と給湯との同時使用が可能であり、且つ同時使用時においても両者の使い勝手がよい。
【００２８】
【００２９】
また本発明の給湯装置では、熱源によって加熱された高温湯を、高温湯分配比率制御手段によって、給湯回路側と加熱循環回路側に所定比率で分配するので、給湯側にも暖房等の加熱側にも適度に高温湯が分配される。そのため本発明の給湯装置は、給湯側と暖房側に配分される熱エネルギーのバランスがよく、給湯・暖房の双方ともに満足のゆく性能が発揮される。
【００３０】
また請求項１，２に記載の発明によると、各部に温度に基づいて給湯回路側と加熱循環回路側に高温湯を分配するので、流量センサ等の数を減少させることができる効果があり、製作費用の低減に寄与することができる。
【００３１】
また請求項３に記載の発明は、本発明を暖房機に活用したものであり、暖房装置側に流れる熱媒体の温度によって高温排出湯の流量と高温循環湯の流量の比率を変更するので、熱量を過不足無く暖房装置側に流すことができる。
【００３２】
また請求項４に記載の発明は、コージェネレーションシステムを採用する構成例を示すものであり、産業の発達に寄与するものである。
【発明を実施するための最良の形態】
【００３３】
以下さらに本発明の実施形態について説明する。
図１は、本発明の第１実施形態である給湯装置の配管系統図である。図２は、図１に示す給湯装置が排熱貯湯運転モードで運転を行っている場合の作動原理図である。図３は、図１に示す給湯装置が貯留タンク内の湯水を用いて給湯を行う場合の作動原理図である。図４は、図１に示す給湯装置が落とし込み運転モードで運転を行っている場合の作動原理図である。図５は、図１に示す給湯装置が温水装置の熱を用いて給湯を行う場合の作動原理図である。図６は、図１に示す給湯装置が温水装置の熱を用いて運転モードで運転を行っている場合の作動原理図である。図７は、図１に示す給湯装置が温水装置の熱を用いて運転と暖房との同時使用モードで運転を行っている場合の作動原理図である。
【００３４】
図１において、１は本実施例の給湯装置である。本実施形態の給湯装置１は、コージェネレーションシステムを採用したものである。給湯装置１は、大別して発電部２と給湯部３とにより構成されるコージェネレーション系Ｓを形成している。発電部２は、ガスエンジン５を備えたものであり、コージェネレーション系Ｓの外にある電気機器等の外部負荷に電力を供給すると共に、発電に伴い発生した排熱により湯水を加熱することができる。また、給湯部３は、温水装置６（熱源）を備えたものであり、主として給湯栓７や床暖房やファンコンベクタ等の暖房装置８等に供給される湯水を加熱するものである。
【００３５】
給湯装置１は、発電部２および給湯部３の駆動を司る制御部１００を持つ駆動制御装置１０２を具備している。制御部１００は、発電部２および給湯部３に設けられた各センサの検知信号に基づいて弁の開閉を行ったり、ポンプやガスエンジン５、温水装置６等の駆動を司るものである。
【００３６】
発電部２は、大別してガスエンジン５と、ガスエンジン５によって駆動する発電機１０と、ヒータ１１とを具備している。発電部２において発生した電力は、コージェネレーション系Ｓの外部にある電気機器等の外部負荷や、ヒータ１１（内部負荷）に供給される。発電部２は、ガスエンジン５を冷却するための冷却回路１２を具備している。
【００３７】
冷却回路１２は、発電部２の外部、さらに詳細には給湯部３側にある排熱熱交換器３０および暖房熱交換器５７を経由して湯水を循環させるものである。冷却回路１２は、ガスエンジン５からバイパス分岐点Ａを経て排熱熱交換器３０に向けて湯水を流す往き側冷却水路１３と、その分岐水路である往き側分岐水路６１、並びに、排熱熱交換器３０からガスエンジン５側へと湯水を戻す戻り側冷却水路１５と、暖房熱交換器５７から戻る湯水が前記戻り側冷却水路１５に合流する戻り側合流水路６２とから構成されている。即ち、ガスエンジン５には排熱熱交換器３０と暖房熱交換器５７とが前記各水路によって並列に接続されている。冷却回路１２内を流れる湯水は、戻り側冷却水路１５の中途に設けられたポンプ１６によって圧送され、戻り側冷却水路１５側から往き側冷却水路１３側へと流れる。戻り側冷却水路１５内を流れる湯水は、ガスエンジン５の駆動に伴い発生した排熱により加熱され往き側冷却水路１３へと流出する。
【００３８】
ガスエンジン５と排熱熱交換器３０とを接続する往き側冷却水路１３の中途には、ヒータ１１が設けられている。ヒータ１１は、発電機１０と外部の電気機器等とを接続する配線１７から分岐された分岐配線１８に接続されている。ヒータ１１には、分岐配線１８を介して外部の電気機器等で消費しきれない余剰電力が供給されており、これにより発電機１０から外部電源（図示せず）への電力の逆潮流が防止されている。さらに詳細には、ヒータ１１は、後述する余剰電力制御部１０１によって制御可能なスイッチ２１が設けられており、このスイッチ２１を調整することによりヒータ１１への通電が調整される。
【００３９】
ガスエンジン５の排熱により加熱され、往き側冷却水路１３内を流れる湯水は、ヒータ１１を通過する際にさらに加熱されて排熱熱交換器３０へと流入する。排熱熱交換器３０において熱交換を行い低温となった湯水は、戻り側冷却水路１５を介してガスエンジン５へと戻る。
【００４０】
戻り側冷却水路１５の中途には、上記したポンプ１６の他に冷却水タンク２２とサーモスタット式の三方弁２５とが設けられている。また、三方弁２５は、後述する戻り側合流水路６２に設けられている三方弁２３と連通する連通流路２４に接続されている。さらに、戻り側冷却水路１５と往き側冷却水路１３との間には、両者をバイパスするバイパス流路２６が設けられている。冷却水タンク２２には、外部から湯水を供給するための給水管２７が設けられており、その中途に設けられている補給水弁２８によって冷却水タンク２２への給水量が調整される。また、三方弁２５は、ガスエンジン５側から排出される湯水の温度に応じて排熱熱交換器３０および暖房熱交換器５７側への湯水の往来を調整するものである。
【００４１】
さらに具体的には、ガスエンジン５の起動直後等のように、ガスエンジン５側から排出される湯水が所定温度以下である場合には、三方弁２５が作用し、排熱熱交換器３０および暖房熱交換器５７への入水が阻止される。即ち、ガスエンジン５側から排出される湯水が低温である場合、三方弁２５の作用によって排熱熱交換器３０および暖房熱交換器５７から戻り側冷却水路１５への通水が阻止されると共に、バイパス流路２６を介して往き側冷却水路１３と戻り側冷却水路１５とが連通した閉回路が形成される。そのため、往き側冷却水路１３内を流れる湯水は、バイパス流路２６を介して直接ガスエンジン５側へと流れ込む。
【００４２】
一方、ガスエンジン５側から排出される湯水が所定温度より高温である場合、三方弁２５の作用によって往き側冷却水路１３内を流れる湯水が、排熱熱交換器３０および暖房熱交換器５７へと流入する。排熱熱交換器３０および暖房熱交換器５７に流入した高温湯は、各熱交換器において熱交換を行った後、三方弁２３を介して戻り側冷却水路１５へと流入してガスエンジン５側へと戻る。
【００４３】
給湯部３は、燃料ガスを燃焼し湯水を加熱する温水装置６と、冷却回路１２内を流れるガスエンジン５の排熱により加熱された湯水と熱交換を行う排熱熱交換器３０と、貯留タンク３１（貯留部）とを具備している。給湯部３は、加熱循環回路３２と、ガスエンジン５および温水装置６において発生した熱によって加熱された湯水を給湯栓７を介して外部に供給する給湯回路３３とを備え、これに加えて暖房装置８等の熱負荷に接続される負荷循環回路（熱媒二次回路）３５と、湯水を浴槽に供給して循環させる浴槽循環回路３６とを有する。
【００４４】
なお温水装置６は、内部に１系統の熱交換器６ａを備えたものであり、バーナ６ｂの熱を受けて内部を通過する湯水を加熱するものである。
本実施形態では、熱源たる温水装置６の熱交換器６ａと、排熱熱交換器３０が直列に接続されている。
【００４５】
また、本実施形態の給湯装置１は、加熱循環回路３２と、貯留タンク３１とから構成される流水回路（閉回路Ｈ）が形成されている。
【００４６】
加熱循環回路３２は、高温湯往き側流路３８、熱交換部４５および高温湯戻り側流路４１からなる。
即ち加熱循環回路３２は、温水装置６の出湯口３７に接続された高温湯往き側流路３８と、熱交換部４５及び温水装置６の入湯口４０に接続された高温湯戻り側流路４１によって構成される一連の循環回路である。
また高温湯往き側流路３８は、温水装置６の出湯口３７と熱交換部４５の間の往き側分岐点１２０で分岐され、給湯回路３３側と接続されている。即ち出湯口３７と熱交換部４５の間の往き側分岐点１２０で、給湯往路８３が分岐されている。給湯往路８３は混合弁８０に繋がる
またさらに給湯往路８３からは、貯留タンク３１に至る貯留部給湯管８７が分岐されている。より具体的には、往き側分岐点１２０から枝分けされた給湯往路８３は、分岐部Ｄ1 において、混合弁８０側と、貯留タンク３１に繋がる貯留部給湯管８７とに分岐されている。貯留部給湯管８７が分岐される分岐部Ｄ1 の上流側（温水装置６側）に、高温湯分配制御比例弁８４が設けられている。即ち高温湯分配制御比例弁８４は、給湯往路８３であって往き側分岐点１２０と分岐部Ｄ1 の間に設けられている。
【００４７】
貯留タンク３１には、内部に貯留されている湯水の高さ方向の温度分布を検知するために、最上部温度センサ３４ａ、上部温度センサ３４ｂ、中部温度センサ３４ｃおよび下部温度センサ３４ｄが設けられている。また、高温湯戻り側流路４１には、熱交換部４５側から順に、エアセパレータ４６と、湯水を循環させる循環ポンプ４７と、排熱熱交換器３０に入水される湯の温度を検知する排熱熱交入水温度センサ１１４と、排熱熱交換器３０と、温水装置６への入水温度を検知する温水装置入水温度センサ１１５と、高温湯戻り側流路４１を流れる水量を検知する循環流量センサ５０と、温水装置６に流入する水量を調整する循環水比例弁５１とが接続されている。
【００４８】
高温湯戻り側流路４１の中途にあるエアセパレータ４６は、戻り側分岐部１２１に相当する位置にあり、加熱循環回路３２中に含まれている空気を外部に排出するものであって貯留タンク３１の下部に設けられた貯留部排出管８９が接続されている。また貯留タンク３１から戻り側分岐部１２１に至る間に、貯留タンク下流出側温度センサ１１３が設けられている。
排熱熱交換器３０は、上記した発電部２においてガスエンジン５の駆動に伴い発生した排熱により加熱された湯水と熱交換を行うことにより高温湯戻り側流路４１を流れる湯水を加熱するものである。そのため、通常ガスエンジン５の駆動中は、排熱熱交換器３０において加熱された湯水が高温湯戻り側流路４１を介して温水装置６に流入する。
【００４９】
排熱熱交換器３０の直前に設けられた排熱熱交入水温度センサ１１４は、前記した様に排熱熱交換器３０に入水される湯の温度を検知するものであり、排熱熱交換器３０と温水装置６の間に設けられた温水装置入水温度センサ１１５は、温水装置６への入水温度を検知するものであるが、いずれも戻り側分岐部たるエアセパレータ４６の部位から熱源たる温水装置６の間に設けられたものであり、ガスエンジン５が運転されていない場合には、同等の温度を示す。
【００５０】
熱交換部４５は、加熱循環回路３２の一部を構成するものであり、熱交換分岐流路９４の先端に設けられており、負荷循環回路３５の中途に設けられた負荷熱交換器４２と、負荷熱交出口電磁弁５２とを有する流路４５ａと、浴槽循環回路３６の中途に設けられた追焚熱交換器４３と追焚熱交出口電磁弁５３とを有する流路４５ｂとが並列に配されたものである。そのため、負荷熱交換器４２および追焚熱交換器４３への湯水の流入は、負荷熱交出口電磁弁５２および追焚熱交出口電磁弁５３によって調整される。
【００５１】
負荷熱交換器４２に接続されている負荷循環回路３５は、暖房装置８に湯水を供給する負荷往き側流路５５と、暖房装置８側から湯水を戻す負荷戻り側流路５６とを有する。負荷往き側流路５５には、負荷側（暖房装置８）側に送る湯水（熱媒体）の温度を測定する負荷往き側温度センサ１１１が設けられている。
負荷戻り側流路５６の中途には、暖房熱交換器５７と、負荷戻り側流路５６に湯水を補給する補給水タンク５８と、負荷戻り側流路５６から補給水タンク５８に流入する湯水の温度を検知する湯温センサ５４と、負荷戻り側流路５６内に湯水を循環させるための循環ポンプ６０とが設けられている。また、負荷循環回路３５には、暖房装置８への湯水の流入を阻止する弁（図示せず）が閉止状態である場合に循環ポンプ６０等に過負荷が作用するのを防止すべく、負荷往き側流路５５と負荷戻り側流路５６とをバイパスするバイパス流路６３が設けられている。
【００５２】
暖房熱交換器５７には、上記した発電部２の往き側冷却水路１３から分岐された往き側分岐水路６１と、戻り側冷却水路１５から分岐された戻り側合流水路６２とが接続されており、ガスエンジン５の排熱により加熱された高温の湯水が循環する。そのため、暖房装置８において放熱して低温となった湯水は、暖房熱交換器５７において往き側分岐水路６１により供給された高温の湯水と熱交換し、加熱される。暖房熱交換器５７において加熱された湯水は、補給水タンク５８を経て負荷熱交換器４２に流入し、負荷熱交換器４２での熱交換によりさらに加熱されたのち再び暖房装置８側へと送り込まれる。
【００５３】
追焚熱交換器４３に接続されている浴槽循環回路３６は、浴槽側に湯水を送り込む浴槽往き側流路６５と、浴槽側から湯水を戻す浴槽戻り側流路６６とを備えている。浴槽戻り側流路６６の中途には、浴槽の湯の温度を検知する浴槽内湯温センサ１１０と、浴槽内の水位を検知する水位センサ６７と、循環ポンプ６８と、水流スイッチ７０とが設けられている。また、浴槽戻り側流路６６の中途、さらに詳細には循環ポンプ６８と水流スイッチ７０との中間には、後述する給湯回路３３から分岐された給湯分岐流路７１が接続されている。給湯分岐流路７１には、給湯回路３３側から浴槽戻り側流路６６側への通水のみを許す逆止弁７２と、浴槽戻り側流路６６側に流入する水量を調整する注湯弁７３と、給湯分岐流路７１内を流れる湯水の流量を検知する流量センサ７５とが設けられている。
【００５４】
上記したように、浴槽戻り側流路６６には、給湯回路３３側からの湯水の流入を許す給湯分岐流路７１が接続されているため、浴槽往き側流路６５に加えて浴槽戻り側流路６６からも湯水を浴槽側に落とし込むことができる。
【００５５】
給湯回路３３は、具体的には、混合弁８０を介して高温湯往き側流路３８の中途で分岐された給湯往路８３と、外部から湯水を供給する給水管８５とが接続されたものであり、その中途には、流量センサ８１と、総量制御比例弁８２と、給湯温度センサ９５とが設けられている。
流量センサ８１は、総給水量を測定するものであり、その上流に設けられた総量制御比例弁８２は、総給水量を制御するものである。
【００５６】
給水管８５は、中途に減圧弁８８と、混合弁８０側に湯水を導く逆止弁９０と、外部から導入される湯水の温度を検知する入水温度センサ９３が設けられた流路であり、混合弁８０に接続されている。
【００５７】
給水管８５の中途には、外部から導入された湯水を貯留タンク３１側に向けて供給する貯留部給水管９１が接続されている。貯留部給水管９１は、貯留タンク３１の底部側に接続されており、中途に給水管８５側から貯留タンク３１側へ湯水を導く逆止弁８６が設けられている。また、貯留タンク３１の底部には、貯留タンク３１から湯水を排出する貯留部排出管８９が接続されている。貯留部排出管８９は、前記した通り温水装置６の入湯口４０に繋がる高温湯戻り側流路４１にエアセパレータ４６を介して接続されている。さらに、貯留タンク３１の上部には、給湯往路８３から分岐され、貯留タンク３１への湯水の流出入を行うための貯留部給湯管８７が接続されている。貯留タンク３１には、貯留部給湯管８７を通って貯留タンク３１の外部に流出する湯水と略同量の湯水が貯留部給水管９１を介して給水されるため、貯留タンク３１は常に満水状態に維持される。
【００５８】
続いて、本実施形態の給湯装置１における湯水の流れについて説明する。
給湯装置１は、後述する駆動制御装置１０２によって多数の運転モードで駆動制御されるものであり、各モード毎に湯水の流れが異なる。また主として貯湯タンク３１内の湯を利用する場合と、温水装置６を熱源とする場合があり、両者によって湯水の流れが異なる。
本明細書では、代表的なものに限って説明することとする。最初に主として貯湯タンク３１内の湯を利用する場合について説明する。
貯湯タンク３１内の湯を利用する動作として、代表的なものに貯留タンク３１に湯水を貯留する排熱貯留運転モードと、給湯栓７から湯水を排出する給湯運転モードと、浴槽内に湯水を落とし込む落とし込み運転モードがある。
【００５９】
先ず、排熱貯留運転モードである場合における湯水の流れについて、図２を参照しながら説明する。排熱貯留運転モードである場合、発電部２においてガスエンジン５が駆動を開始し、それに伴いポンプ１６が作動して冷却回路１２内を湯水が循環し始める。冷却回路１２内を流れる湯水は、ガスエンジン５の駆動に伴い発生する排熱により加熱される。また、ガスエンジン５の駆動に伴い、発電機１０において発生した電力のうち、発電機１０に接続されたコージェネレーション系Ｓの外部にある電気機器等において消費しきれない余剰の電力によりヒータ１１が作動し、往き側冷却水路１３内を流れる湯水がさらに加熱される。
【００６０】
ガスエンジン５の起動直後等のように、冷却回路１２内の湯水が低温である場合、三方弁２５は、連通流路２４を閉止し、戻り側冷却水路１５とバイパス流路２６とを連通するように作動する。そのため、往き側冷却水路１３内を流れる湯水は、バイパス流路２６を介して戻り側冷却水路１５側へと流れて循環し、排熱熱交換器３０や暖房熱交換器５７側には流れ込ない。また、ガスエンジン５の駆動に伴って冷却回路１２内の湯水が所定の温度以上となると、三方弁２３および三方弁２５が切り替わり、湯水が排熱熱交換器３０内を循環し始める。
【００６１】
一方、給湯部３では、循環ポンプ４７が駆動を開始し、貯留タンク３１の底部に設けられた貯留部排出管８９から貯留タンク３１内の湯水が高温湯戻り側流路４１側に流入する。高温湯戻り側流路４１内を流れる湯水は、排熱熱交換器３０においてガスエンジン５の排熱やヒータ１１によって加熱された湯水と熱交換を行って加熱された後、温水装置６の入湯口４０から温水装置６へ流入する。
【００６２】
排熱貯留運転モードでは温水装置６は燃焼停止状態であるため、入湯口４０から流入した湯水は、温水装置６内を素通りし、出湯口３７に接続された高温湯往き側流路３８へと流出する。ここで、高温湯往き側流路３８に流入した湯水の温度、即ち湯温センサ３９の検知温度が所定温度に達していない場合は、給湯往路８３の高温湯分配制御比例弁８４が閉成され、負荷熱交出口電磁弁５２あるいは追焚熱交出口電磁弁５３のうち少なくともいずれか一方（本実施形態では負荷熱交出口電磁弁５２）の弁が開成される。そのため、貯留タンク３１には、所定温度に達していない湯水が流入せず、温水装置６を出た湯水は熱交換部４５側の流路を流れて加熱循環回路３２内を循環する。即ち、高温湯往き側流路３８内を流れる湯水が低温である間は、高温湯往き側流路３８の中途にある高温湯分配制御比例弁８４の上流側と、貯留タンク３１の下流側とをバイパスする熱交分岐流路９４および熱交換部４５に湯水を循環させ、湯温が上昇するのを待つ。
【００６３】
一方、高温湯往き側流路３８内を流れる湯水が所定温度以上となると、高温湯分配制御比例弁８４が開成される。また、ここで混合弁８０は、給湯往路８３に対して閉止状態とされている。そのため、湯水は、高温湯往き側流路３８、熱交換分岐流路９４、流路４５ａおよび高温湯戻り側流路４１によって構成される閉回路内を循環しながら排熱熱交換器３１において加熱されると共に、貯留部給湯管８７を介して貯留タンク３１内に徐々に貯留される。そのため、貯留タンク３１内に貯留されている湯水は、下方から上方に向けて次第に高温となっている。即ち、貯留タンク３１内に貯留されている湯水は、上下方向に層状の温度分布を形成している。貯留タンク３１内に貯留されている湯水の略全体が所定温度以上となると、排熱貯湯モードによる湯水の貯留が完了する。さらに具体的には、貯留タンク３１の下部温度センサ３４ｄが所定の温度に達すると、駆動制御装置１０２は下部温度センサ３４ｄよりも上方に貯留されている湯水が所定温度に達しているものと判断し、排熱貯湯モードを完了させる。
【００６４】
続いて、給湯装置１が給湯運転モードである場合における湯水の流れを図３を参照しながら説明する。貯留タンク３１内に湯水が十分貯留されている場合、給湯栓７が開栓されると、給水管８５を介して外部から供給される低温の水の一部は、混合弁８０に向けて供給される。一方、外部から供給される低温の水の一部は、給水管８５から分岐された貯留部給水管９１を介して貯留タンク３１の底部に流入する。ここで、高温湯戻り側流路４１の中途に設けられた循環ポンプ４７は停止しており、高温湯分配制御比例弁８４は閉止あるいは大幅に開度が絞られている。そのため、貯留タンク３１の底部から湯水が流入しても、湯水は殆ど高温湯戻り側流路４１をはじめとする閉回路Ｈ側には流出しない。そのため、貯留タンク３１の底部から湯水が流入すると、この湯水によって貯留タンク３１内に貯留されている湯水が上方に押し上げらる。その結果、貯留タンク３１の上部側に貯留されている高温の湯水が貯留部給湯管８７から排出される。貯留部給湯管８７から排出された湯水は給湯往路８３内を流れ、混合弁８０側へと流れる。
【００６５】
混合弁８０は、給湯往路８３に対して開成されているため、貯留部給湯管８７から排出された湯水は混合弁８０に流入する。混合弁８０に流入した高温の湯水は、給水管８５を介して供給された低温の水と混合されて適温となり、給湯回路３３を介して給湯栓７から排出される。さらに詳細には、貯留タンク３１から流出し、給湯往路８３内を流れる湯水の温度を検知する湯温センサ９２と、外部から供給される湯水の温度を検知する入水温度センサ９３と、混合弁８０において混合され排出される湯水の温度を検知する給湯温度センサ９５との検知温度に応じて、給湯栓７から排出される湯水の温度が適温となるように混合弁８０における湯水の混合比率が調整される。混合弁８０において混合された湯水は、給湯回路３３および給湯栓７を介して外部に供給される。
【００６６】
続いて、給湯装置１が落とし込み運転モードである場合における湯水の流れを図４を参照しながら説明する。本実施形態の給湯装置１では、浴槽往き側流路６５に加えて、後述する追焚き運転モードにおいて浴槽内の湯水を給湯装置１側に戻す浴槽戻り側流路６６からも湯水が浴槽に落とし込まれる。
【００６７】
本実施形態の給湯装置１では、注湯弁７３が開成され、流量センサ７５が水流を検知すると、落とし込み運転モードが開始する。貯留タンク３１内に湯水が十分貯留されている場合、落とし込み運転モードが開始すると、上記した給湯運転モードにおけるのと同様にして浴槽へ落とし込まれる湯水の温度が調整される。即ち、給水管８５を介して外部から供給される低温の水の一部が、混合弁８０に向けて供給される。その一方で、外部から供給される湯水の残部は、貯留部給水管９１を介して貯留タンク３１の底部から流入する。これに伴い、貯留タンク３１の上部側に貯留されている高温の湯水が貯留部給湯管８７から排出され、混合弁８０に流れ込む。
【００６８】
混合弁８０に流入した高温の湯水は、給水管８５を介して供給された低温の水と混合されて適温に調整され、給湯回路３３へと流出する。給湯回路３３へ流入した湯水は、給湯回路３３から分岐された給湯分岐流路７１を流れ、浴槽戻り側流路６６に流入する。ここで、落とし込み運転モードの場合は循環ポンプ６８が停止しているため、浴槽戻り側流路６６に流入した湯水の一部は、浴槽戻り側流路６６を介して浴槽内に流入する。また、給湯分岐流路７１から浴槽戻り側流路６６へと流入した湯水の残部は、追焚熱交換器４３を迂回して浴槽往き側流路６５から浴槽へと流入する。水位センサ６７によって浴槽内の水位が所定の水位になったことが検知されると、注湯弁７３が閉止され、一連の落とし込み運転モードが完了する。
【００６９】
続いて温水装置６を熱源とする場合の動作モードについて説明する。温水装置６を熱源とする場合の動作モードとして、給湯栓７から湯水を排出する給湯運転モードと、暖房装置８等の熱負荷を駆動させる暖房運転モードと、給湯運転及び暖房運転を併用する同時使用モードがある。
給湯運転モードにおいては、図５に示すように温水装置６により湯水が加熱され、この湯水が給湯栓７から排出される。さらに詳細には、貯留タンク３１内の湯水が低温である状態で給湯栓７が開栓されると、循環ポンプ４７が起動し、高温湯分配制御比例弁８４が開成される。また、熱交換部４５にある負荷熱交出口電磁弁５２および追焚熱交出口電磁弁５３が閉止され、高温湯往き側流路３８から熱交分岐流路９４への湯水の流入が阻止される。またさらに、混合弁８０は、高温湯往き側流路３８を流れる湯水が流入する給湯往路８３および外部から導入される湯水が流れる給水管８５に対して開成される。そのため、外部から供給される低温の水の一部は、給水管８５を介して混合弁８０に至り、混合弁８０に接続された給湯回路３３へと流れ込む。また、外部から供給された湯水の残部は、給水管８５から分岐された貯留部給水管９１を通じて貯留タンク３１の下部から供給される。流量センサ８１によって給湯回路３３における水流が検知されると、温水装置６が燃焼作動を開始する。
【００７０】
貯留部給水管９１を介して外部から貯留タンク３１の下部に流入した湯水は、貯留部排出管８９から高温湯戻り側流路４１を介して温水装置６に流入する。温水装置６に流入した湯水は、燃焼作動に伴い発生した熱によって加熱された後、高温湯往き側流路３８および給湯往路８３を通じて混合弁８０に流入する。混合弁８０に流入した高温の湯水は、外部から給水管８５を介して供給された湯水と混合されて適温に調整され、給湯回路３３および給湯栓７を介して外部に供給される。
【００７１】
上記したように、給湯栓７が開栓されると、駆動制御装置１０２は、給湯装置１を給湯運転モードで作動させ、貯留タンク３１内の湯水または温水装置６によって加熱された湯水を用いて給湯を行う。給湯栓７が閉栓され、流量センサ８１が水流を検知しなくなると、駆動制御装置１０２は、最上部温度センサ３４ａの検知温度に基づき、貯留タンク３１内に温度Ｔ以上の高温の湯水が所定量γ以上貯留されているか否かを検知する。ここで、貯留タンク３１内に温度Ｔ以上の湯水が所定量γ以上貯留されている場合、即ち、最上部温度センサ３４ａの検知温度が温度Ｔ以上である場合、駆動制御装置１０２は温水装置６の燃焼作動等を停止させ一連の動作を完了する。
【００７２】
続いて、温水装置６を主たる熱源として、暖房装置８等の熱負荷を駆動させる暖房運転モードにおける湯水の流れについて図６に示す流水回路図を参照しながら説明する。なお温水装置６を主たる熱源として、暖房装置８等の熱負荷を駆動させる場合としては、余剰電力制御部１０１による制御が不能である場合や、駆動制御装置１０２と余剰電力制御部１０１とを繋ぐ通信線１０３が断線しているなどの理由で余剰電力制御部１０１と駆動制御装置１０２との通信が不可能である場合の様に、ガスエンジン５の使用を停止せざるを得ない場合である。また、ガスエンジン５をはじめとする発電部２が故障してしまった場合についても、温水装置６を主たる熱源として、暖房装置８等の熱負荷を駆動させる。
【００７３】
発電部２が制御不能となった様な状態で暖房装置８が起動すると、駆動制御装置１０２は、給湯部３の循環ポンプ４７の駆動を開始させると共に、追焚熱交出口電磁弁５３および高温湯分配制御比例弁８４を閉成し、負荷熱交出口電磁弁５２を開いて加熱循環回路３２内に湯水を循環させる。循環流量センサ５０が高温湯戻り側流路４１における通水を検知すると、駆動制御装置１０２は、温水装置６における燃焼作動を開始させ、加熱循環回路３２内を流れる湯水の加熱を開始させる。
【００７４】
続いて駆動制御装置１０２は、循環ポンプ６０を起動させ、暖房装置８に接続されている負荷循環回路３５内の湯水を循環させる。負荷循環回路３５内を流れる湯水は、温水装置６において加熱され、熱交換部４５の流路４５ａを流れる高温の湯水と、負荷熱交換器４２において熱交換を行い加熱される。
【００７５】
次に給湯運転及び暖房運転を併用する同時使用モードの動作について、図７の作動原理図及び図８，９のフローチャートを参照しつつ説明する。
【００７６】
同時使用モードにおける通水経路は、図７に示した通りであり、前記した給湯運転モードにおける通水経路と、暖房運転モードにおける通水経路を重ねたものとなる。
即ち、暖房運転が行なわれている状態は、前記した図６の通りであり、給湯部３の循環ポンプ４７が駆動され、追焚熱交出口電磁弁５３および高温湯分配制御比例弁８４が閉成され、負荷熱交出口電磁弁５２を開いて加熱循環回路３２内に湯水が循環している。また温水装置６における燃焼作動が行なわれ、加熱循環回路３２内を流れる湯水が加熱されている。
【００７７】
そしてこの状態で給湯栓７が開栓され、流量センサ８１によって給湯回路３３における水流が検知されると、循環ポンプ４７は運転した状態を維持し、高温湯分配制御比例弁８４が開成される。熱交換部４５は、先と同じ状態を維持し、追焚熱交出口電磁弁５３が閉成され、負荷熱交出口電磁弁５２が開かれる。またさらに、混合弁８０は、高温湯往き側流路３８を流れる湯水が流入する給湯往路８３および外部から導入される湯水が流れる給水管８５に対して開成される。そのため、外部から供給される低温の水の一部は、給水管８５を介して混合弁８０に至り、混合弁８０に接続された給湯回路３３へと流れ込む。また、外部から供給された湯水の残部は、給水管８５から分岐された貯留部給水管９１を通じて貯留タンク３１の下部から供給される。
【００７８】
貯留部給水管９１を介して外部から貯留タンク３１の下部に流入した湯水は、貯留部排出管８９から高温湯戻り側流路４１を介して温水装置６に流入する。温水装置６に流入した湯水は、温水装置６によって加熱された後、高温湯往き側流路３８および給湯往路８３を通じて混合弁８０に流入する。混合弁８０に流入した高温の湯水は、外部から給水管８５を介して供給された湯水と混合されて適温に調整され、給湯回路３３および給湯栓７を介して外部に供給される。
【００７９】
同時使用モードにおける通水経路は上記した通りであるが、本実施形態では、給湯に供される熱エネルギーと、暖房に供される熱エネルギーのバランスを以下に示す方策によって確保している。なお以下の説明では、「熱量」「熱エネルギー」「号」といった文言が併存するが、これらは発明の理解を容易にするためや、計算上の便宜のために使い分けたに過ぎない。正確には「号」は、単位時間あたりの熱量であり、「熱量」や「熱エネルギー」という場合は、総熱量をさす場合と単位時間あたりの熱量をさす場合が混在するが、本質的には同一である。従って例えば「号」という文言を「熱量」「熱エネルギー」と置き換えても良い。
また以下の制御は、駆動制御装置１０２内の図示しない制御装置によって司られる。
【００８０】
動作説明に戻ると、本実施形態の燃焼装置１では、温水装置６によって加熱され、温水装置６から吐出された高温湯を、給湯回路３３側と加熱循環回路３２側に適切に配分し、給湯に供される熱エネルギーと、暖房に供される熱エネルギーのバランスを確保する。また同時使用モードにおいては、基本的に給湯に優先して熱エネルギー（高温湯）を配分し、残余の高温湯を加熱循環回路３２側に配分する。
即ち給湯に優先して一定量の高温湯を配分し、残余の高温湯を加熱循環回路３２側に配分する。
【００８１】
例えば温水装置６の単位時間当たりの最大発熱量が１００であると仮定すると、一定量たる７５の熱量を給湯に割り当てる。具体的には最大発熱量で加熱された高温湯の内の７５％を給湯に使用できる湯量として確保する。そして残りの余裕熱量たる２５％の湯を加熱循環回路３２に循環させる。
【００８２】
また給湯栓７を最大に開いた場合であっても、一定割り当て量を越えない湯量しか給湯回路３３側に供給しない。例えば給湯栓７を最大に開いた場合であっても、高温湯の内の７５％を混合して設定温度となる湯量しか給湯されない様に総給湯量を絞る。具体的には、総量制御比例弁８２を制御して給湯流量を制御し、給湯栓７から高温湯の７５％相当しか出湯されない様に総給湯量を絞る。即ち高温湯と低温の水が混合弁８０で混合され、適度の温度となって給湯栓７から出湯されるが、この時に混合される高温湯の量が、温水装置６から吐出される高温湯の総量の一定量を越えない様に混合後の出湯総量を規制する。
本実施形態では、混合弁８０の下流側に総量制御比例弁８２が設けられており、当該総量制御比例弁８２によって給湯流量を規制することができる。また給湯流量はその下流側に設けられた流量センサ８１で検知することができる。
総量制御比例弁８２によって制御される給湯流量Ｑｉは次式によって求められる。
【００８３】
【数１】
2008134055.tif 000018
【００８４】
即ち本実施形態では、規制量（Ｑｉ）を温水装置６の給湯号数（発熱能力）Ｎｔと、給湯回路３３への高温湯の分割比率ａと、給湯装置１の給湯設定温度Ｔと、給湯装置１への入水温度によって規制すべき給湯流量Ｑｉを求めている。給湯装置１の給湯設定温度Ｔを演算に使用したのは、総量制御比例弁８２の開度をより早期に確定させるためであるが、給湯設定温度Ｔに代わって実際の出湯温度を採用してもよい。
【００８５】
本実施形態によれば、給湯用として高温湯の７５％を確保するが、給湯に供される高温湯が全体の７５％を越えることはない。
言い換えると、本実施形態では、給湯栓７の開度に対して最も適切な給湯量を確保するのに必要な熱量が規定量を越えても一定割り当て量を越える湯量しか給湯回路３３側に供給しない。
例えば、給湯栓７の開度に対して最も適切な給湯量を確保するのに必要な熱量が、温水装置６の最大発熱量の８０％であっても、給湯回路３３側には一定量たる７５％相当の湯量しか配分されない。
【００８６】
さらに本実施形態では、給湯栓７の開度に対して最も適切な給湯量を確保するのに必要な熱量が規定量を越え、且つ暖房装置８を適切に運転するのに最も適切な熱量についても規定量を越えても、一定割り当て量を越える湯量しか給湯回路３３側に供給せず、加熱循環回路３２にはその残余の高温湯しか循環させない。例えば、給湯栓７の開度に対して最も適切な給湯量を確保するのに必要な熱量が、温水装置の最大発熱量の８０％であり、暖房装置８を適切に運転するのに最も適切な熱量が温水装置の最大発熱量の３０％である場合であっても、給湯回路３３側には７５％相当の湯量が配分され、加熱循環回路３２には２５％相当の湯量が配分される。この様に、給湯回路３３側に７５％相当の湯量が配分され、加熱循環回路３２に２５％相当の湯量が配分されて温水装置６はフル稼働状態となる。
【００８７】
また給湯栓７の開度に対して最も適切な給湯量を確保するのに必要な熱量が、規定量相当であり、暖房装置８を適切に運転するのに最も適切な熱量が規定量を越える場合であっても、給湯回路３３側には規定量の湯量が配分され、加熱循環回路３２にはその残余の高温湯が配分されない。例えば給湯栓７の開度に対して最も適切な給湯量を確保するのに必要な熱量が、温水装置の最大発熱量の７５％であり、暖房装置８を適切に運転するのに最も適切な熱量が温水装置の最大発熱量の３０％である場合であっても、給湯回路３３側には７５％相当の湯量が配分され、加熱循環回路３２には２５％相当の湯量しか配分されない。この様な場合は、給湯回路３３側に充分な熱量が確保され、暖房側は能力不足となる。
【００８８】
また給湯栓７の開度に対して最も適切な給湯量を確保するのに必要な熱量が、規定量を越え、暖房装置８を適切に運転するのに最も適切な熱量が規定量未満である場合は、給湯回路３３側には規定量相当の湯量しか配分されず、加熱循環回路３２には要求量の湯量が配分される。例えば給湯栓７の開度に対して
最も適切な給湯量を確保するのに必要な熱量が、温水装置６の最大発熱量の８０％であり、暖房装置１を適切に運転するのに最も適切な熱量が温水装置の最大発熱量の２０％である場合は、給湯回路３３側には７５％相当の湯量しか配分されず、加熱循環回路３２には２０％相当の湯量が配分される。なおこの場合には、温水装置６の吐出湯量を絞ることとなる。
この様に、暖房装置を適切に運転するのに最も適切な熱量が規定量未満である場合は、給湯回路３３側に供給する湯量を増加させないことが望ましいが、余裕の範囲で給湯回路３３側に供給する湯量を増加させてもよい。
【００８９】
また実際に給湯に使用されている熱量が規定量未満である場合は、実際の余裕熱量を演算し、余裕熱量の範囲内で加熱循環回路３２に流す高温湯を増量する。ただし、実際の余裕熱量が相当に大きくても、加熱循環回路３２への高温湯の量が無制限に多くなることは規制する。例えば実際の余裕熱量が最大発熱量の７５％であっても、加熱循環回路３２への高温湯の量は、最大発熱量の５０％以下に抑える。
本実施形態では、実際に給湯に使用されている熱量ｑｓは、高温湯の湯量に換算して演算している。具体的には、次式によって給湯に必要な流量を演算しているが、熱量の式や号数の式であってもよい。
【００９０】
【数２】
2008134055.tif 000019
【００９１】
即ち本実施形態では、給湯装置１の給湯設定温度Ｔと、給湯装置への入水温度Ｔｃと、温水装置６の設定温度ＢＵと、実際に給湯装置１から出湯される湯量Ｑｆに基づいて実際に給湯に使用されている熱量ｑｓを高温湯量に換算して演算している。
上記した数値の内、給湯装置１の給湯設定温度Ｔは、実際の給湯温度を採用してもよい。また温水装置６の設定温度ＢＵについても実際の出湯温度を採用することができる。
【００９２】
また実際の余裕熱量を号数換算すると、次の式となる。なお号数とは、１リットル／ｍｉｎの水を摂氏２５度（℃）昇温させるのに必要な熱量である。
【００９３】
【数３】
2008134055.tif 000020
【００９４】
即ち加熱循環回路に分配可能な湯の相当号数（実際の余裕熱量を表す）Ｎｈを、温水装置１から吐出される高温湯の流量の最大値（温水装置１の最大能力）ｑｔと、実際に給湯に使用されている熱量ｑｓと、温水装置６の設定温度ＢＵと、給湯装置への入水温度Ｔｃを活用して演算している。
上記した数値の内、温水装置６の設定温度ＢＵに代えて実際の出湯温度を採
用することができる。
【００９５】
暖房のために実際に必要な高温湯の湯量ｑｗは、次の通りである。
【００９６】
【数４】
2008134055.tif 000021
【００９７】
即ち本実施形態では、暖房のために実際に必要な高温湯の湯量ｑｗを、暖房のために実際に必要な高温湯の相当号数Ｎｗと、温水装置６の設定温度ＢＵ及び給湯装置への入水温度Ｔｃを活用して演算している。式の中で数字「２５」は、号数と熱量との換算に使用する定数である。号数換算によらず熱量計算による場合は、この定数は不要である。
【００９８】
また本実施形態では、給湯往路８３であって、貯留部給湯管８７が分岐される分岐部Ｄ1 の上流側（温水装置６側）に設けられた高温湯分配制御比例弁８４を調節して給湯回路３３から外部に至る高温排出湯の流量と加熱循環回路３２を循環する高温循環湯の流量の比率を制御する。即ち本実施形態では、高温湯往き側流路３８が温水装置６の出湯口３７と熱交換部４５の間で分岐され、給湯回路３３側と接続されている。具体的には、温水装置６の出湯口３７と熱交換部４５の間から給湯往路８３が分岐されている。そして給湯往路８３からさらに貯留タンク３１に繋がる貯留部給湯管８７が分岐されているが、給湯往路８３の始点から貯留部給湯管８７の間に高温湯分配制御比例弁８４が設けられており、当該高温湯分配制御比例弁８４を調節して給湯回路３３から外部に至る高温排出湯の流量と加熱循環回路３２を循環する高温循環湯の流量の比率を制御している。
なお本実施形態では、当該用途の弁を給湯回路３３側に設けたが、加熱循環回路３２側に設けてもよい。
【００９９】
また本実施形態では、給湯装置に入水される入水の温度Ｔｃと、熱源に入水される熱源入水温度Ｔｔと、加熱循環回路における熱交換後の湯温Ｔｈに基づいて、高温排出湯の流量と高温循環湯の流量の比率を制御する。
より具体的には、次の式１を満足する条件となる様に高温湯分配制御比例弁８４を制御する。
【０１００】
【数５】
2008134055.tif 000022
【０１０１】
上記した給湯装置に入水される入水の温度Ｔｃは、入水温度センサ９３によって検知する。即ち給水管８５の入り口近傍に入水温度センサ９３が設けられており、当該入水温度センサ９３によって給湯装置に入水される入水の温度Ｔｃを測定する。なお、温水装置６を熱源として給湯及び暖房を行なう時は、多くの場合、貯留タンク３１内の水温が低く、貯留タンク３１の下部から出水される湯の温度は入水温度に近いから、貯留タンク３１から戻り側分岐部に至る間に設けられている貯留タンク下流出側温度センサ１１３の検知温度を入水の温度Ｔｃとしてもよい。
【０１０２】
また上記した熱源に入水される熱源入水温度Ｔｔは、温水装置６の手前に設けられた温水装置入水温度センサ１１５によって検知する。ただし前記した様に、ガスエンジン５が運転されていない場合は排熱熱交換器３０の直前に設けられた排熱熱交入水温度センサ１１４も熱源に入水される入水の温度を示すので、排熱熱交入水温度センサ１１４の検知温度を熱源入水温度Ｔｔとしてもよい。
前記した様に排熱熱交入水温度センサ１１４は、排熱熱交換器３０に入水される湯の温度を検知するものであるが、当該温度センサも戻り側分岐部１２１位から熱源たる温水装置６の間に設けられたものであり、ガスエンジン５が運転されていない場合は温水装置入水温度センサ１１５と同等の温度を示す。
【０１０３】
給湯と暖房との同時使用が安定すると、給湯装置１内の温水装置６からは、次の流量Ｘの高温湯が供給される。
【０１０４】
【数６】
2008134055.tif 000023
【０１０５】
次に、本実施形態の給湯装置１の実際の動作を図８のフローチャートに基づいて説明する。なお説明を簡単にするため、給湯装置１に内蔵される温水装置６の給湯能力を２０号とする。また温水装置が供給可能な高温湯の最大量は、１０リットル／ｍｉｎであると仮定する。
そして高温湯の最大量の内の７５％を給湯側に割り当てることとする。即ち１５号相当の高温湯を給湯に割り当てる。そして残る２５％（５号相当）を暖房側に割り当てる。
【０１０６】
以下説明する。
暖房運転の最中に給湯栓７が開かれ、最小作動水量(Minimum Operation Quantity)を検知すると、給湯運転と暖房運転の同時使用モードとなる。図８のフローチャートでは、ステップ１に移行し、初期設定が行なわれる。ステップ１では、所定の記憶手段に「Ｎｍａｘ＝５号」を記憶させる。ここでＮｍａｘとは、暖房のために使用する熱量の上限であり、説明を簡単にするために号数で表示することとする。
また温水装置６の吐出量Ｘを最大流量たる１０リットル吐出（一分間あたりの吐出量
以下同様）に設定する。
【０１０７】
ステップ２では、循環水比例弁５１をＸリットル／ｍｉｎとなる様に制御する。即ち本実施形態の給湯装置１では、温水装置６に流入する水量を調整する循環水比例弁５１が設けられ、さらに当該循環水比例弁５１と直列に循環流量センサ５０が設けられている。ステップ２では、循環流量センサ５０を監視しつつ、循環水比例弁５１を制御して温水装置６に流入する水量をＸリットル／ｍｉｎとする旨の指令が送られる。ここで前記したステップ１で、温水装置６の吐出量Ｘを最大流量たる１０リットル吐出に設定したので、ステップ２以下では、温水装置６の吐出量が最大流量たる１０リットル／ｍｉｎとなる様に制御される。
【０１０８】
続くステップ３では、温水装置６が流量比例燃焼となる様に指令し、温水装置６から常に最高温度の湯が出湯される様に設定する。
【０１０９】
そしてステップ４では、温水装置６の能力の７５％（１５号相当）の給湯がなされる様に総量制御比例弁８２を制御する。即ち前記した式１で演算された給湯流量Ｑｉとなる様に総量制御比例弁８２を制御する。即ち本実施形態では、使用の初期においては、熱源の発熱量の中の一定量が給湯に伴って給湯回路から外部に排出可能となる様な開度に総量制御比例弁８２が制御される。
即ち本実施形態では、使用の初期においては、熱源の発熱量の中の一定量が給湯に伴って給湯回路から外部に排出可能となる様な開度となる様に総量制御手段が規制される。
ただし制御するのは総量制御比例弁８２であるから、例えば給湯栓７が半開であった場合の様に、総量制御比例弁８２の絞り量よりも他の部位における絞り量の方が大きい場合は、実質的に１５号相当の出湯はない。
【０１１０】
そこでステップ５に移行し、実際の給湯量から、実際にどの程度の高温湯が給湯と共に排出てれているかを演算する。具体的には、前記した式２によって給湯のために実際に出湯される高温湯の湯量（高温排出湯の湯量）ｑｓを求める。
【０１１１】
次にステップ６に移行し、加熱循環回路に分配可能な湯の相当号数（暖房許容号数）Ｎｈを演算する。具体的には上記した式３に基づく演算が行なわれる。
【０１１２】
さらにステップ７、ステップ８によって、Ｎｍａｘの確認と変更を行なう。
Ｎｍａｘは、前記した様に暖房のために使用する熱量の上限であり、説明を簡単にするために号数で表示している。
即ち前段のステップ６で加熱循環回路に分配可能な湯の相当号数（暖房許容号数）Ｎｈを演算したので、暖房許容号数Ｎｈに余裕があるならば、Ｎｍａｘを上げてもよい。逆に暖房許容号数Ｎｈに余裕が無いならば、Ｎｍａｘを下げなければならない。
【０１１３】
そこでステップ７、ステップ８では、現状のＮｍａｘと暖房許容号数Ｎｈを比較する。具体的には、ステップ７で暖房許容号数Ｎｈが「Ｎｍａｘ＋１．２」以上であるか否かを比較する。なお１．２という号数は、現状のＮｍａｘと暖房許容号数Ｎｈの差が過大であるか許容すべき範囲であるかの基準であり、設計により変更すべき数値である。本実施形態では、暖房許容号数Ｎｈが「Ｎｍａｘ＋１．２」以上である場合には、暖房許容号数（余裕）Ｎｈが現状の現状のＮｍａｘ（現状の上限）に比べて過大であるから、ステップ９に移行して暖房側に割り当て得る熱量の上限Ｎｍａｘを暖房許容号数（余裕）Ｎｈに一致させる。具体的には、暖房許容号数Ｎｈが「Ｎｍａｘ＋１．２」以上である場合には、暖房許容号数（余裕）Ｎｈが現状のＮｍａｘ（現状の上限）に比べて過大であるから、ステップ９に移行して暖房側に配分し得る熱量の上限Ｎｍａｘを上げる。
【０１１４】
一方、ステップ７で暖房許容号数Ｎｈが「Ｎｍａｘ＋１．２」未満であると判断されると、暖房許容号数（余裕）Ｎｈは現状のＮｍａｘ（現状の上限）に比べて過大とは言えないから、ステップ８に移行し、暖房許容号数（余裕）Ｎｈが現状の現状のＮｍａｘ（現状の上限）に比べて過少ではないかを判断する。
【０１１５】
具体的には、ステップ８で暖房許容号数Ｎｈが「Ｎｍａｘ−０．５」未満であるか否かを比較する。なお０．５という号数は、現状のＮｍａｘと暖房許容号数Ｎｈの差が過大であるか許容すべき範囲であるかの基準であり、設計により変更すべき数値である。本実施形態では、暖房許容号数Ｎｈが「Ｎｍａｘ−０．５」未満である場合には、暖房許容号数（余裕）Ｎｈが現状の現状のＮｍａｘ（現状の上限）に比べて過少であるから、ステップ９に移行して暖房側に配分し得る熱量の上限Ｎｍａｘを暖房許容号数（余裕）Ｎｈに一致させる。具体的には、暖房許容号数Ｎｈが「Ｎｍａｘ−１．２」以上である場合には、暖房許容号数（余裕）Ｎｈが現状の現状のＮｍａｘ（現状の上限）に比べて過少であるから、ステップ９に移行して暖房側に配分し得る熱量の上限Ｎｍａｘを上げる。
【０１１６】
暖房許容号数Ｎｈが「（Ｎｍａｘ−０．５）＜Ｎｈ≦（Ｎｍａｘ＋１．２）」であるときは、現状のＮｍａｘは適切であるから、Ｎｍａｘを変更することなくステップ１０に移行する。
【０１１７】
続くステップ１０、ステップ１１では、Ｎｍａｘの数値そのものの過大・過少を判断する。
即ち、温水装置６の発熱能力に対して暖房のために使用する熱量の上限がすぎる場合は、給湯側の余力が少なくなり、使い勝手が悪い。一方、Ｎｍａｘが低すぎる場合は、暖房側の能力が小さすぎて暖房装置８に熱エネルギーが行き渡らない。
本実施形態では、ステップ１０でＮｍａｘが１０号（温水装置の能力の５０％）を越えるか否かを判断し、Ｎｍａｘが１０号を越える場合は、ステップ１２に移行してＮｍａｘを１０号に補正し、ステップ１４に進む。
【０１１８】
ステップ１０がＮＯであった場合は、ステップ１１に移行し、Ｎｍａｘが５号（温水装置の能力の２５％）以下であるか否かを判定する。ステップ１０でＮｍａｘが５号（温水装置の能力の２５％）以下であると判定された場合は、ステップ１２に移行してＮｍａｘを５号に補正し、ステップ１４に進む。
【０１１９】
Ｎｍａｘが５号〜１０号である場合は、Ｎｍａｘは適正値であるから、補正を行なわずにステップ１４に移行する。
【０１２０】
ステップ１４では、暖房装置８側の要求熱量に応じて暖房側に実際に配分する（加熱循環回路側に循環させる）熱量Ｎｗを演算する指令が出される。即ち暖房のために実際に必要な高温湯の相当号数を演算する。
【０１２１】
暖房のために実際に必要な熱量は、負荷循環回路（熱媒二次回路）３５であって、その負荷往き側流路５５に設けられた負荷往き側温度センサ１１１の検知温度に基づいて演算する。即ち負荷往き側流路５５を流れる湯の温度が所定の設定温度以下である場合は、加熱循環回路３２側の熱量が足りないことを意味している。逆に負荷往き側流路５５を流れる湯の温度が所定の設定温度を大幅に越える場合は、加熱循環回路側の熱量が過剰であることを意味している。従って負荷往き側温度センサ１１１の検知温度を監視し、当該検知温度が設定温度よりも高い場合は、加熱循環回路側を流れる高温湯の量を減少させ、検知温度が設定温度よりも低い場合は、加熱循環回路側を流れる高温湯の量を増加させることが望ましい。
【０１２２】
ただし、暖房装置８側の流路（熱媒二次回路）を流れる熱媒体は、暖房装置８側に設けられた温度センサー等に応じて開閉される場合もあり、暖房装置８側で熱交換されることなく給湯装置１側に戻る場合もある。そのため暖房側（加熱循環回路３２側）に分配される熱量が適切であっても暖房装置８側の流路を流れる熱媒体の温度は変動する。従って暖房装置８側の流路を流れる熱媒体の温度変化に対して、加熱循環回路３２側を流れる高温湯の量変化を鋭敏に反応させると、ハンチングを起こしやすい。そのため暖房装置８側の流路を流れる熱媒体の温度は、できるだけ大きな許容範囲を持たせるべきであり、且つ加熱循環回路側を流れる高温湯の量変化は、できるだけ緩やかであることが望まれる。
【０１２３】
本実施形態では、上記した事情を踏まえ、ステップ１４で、暖房装置側の要求熱量に応じて暖房側に割り当てる（加熱循環回路側に循環させる）熱量を演算する指令を出す。
具体的には、ステップ１４では、図９に示すサブルーチンが実行され、ステップ１０１で負荷往き側流路（暖房往路）５５の温度（負荷往き側温度センサ１１１の検知温度）が設定温度よりも５℃（摂氏）を越えて高いか否かを検知し、ステップ１０２，１０３でこの状態が５秒間続くか否かを判定する。
ステップ１０１，１０２，１０３で負荷往き側流路（暖房往路）５５の温度が設定温度よりも５℃を越える状態が５秒間続いたことが判定されると、加熱循環回路側の熱量が過剰であるから、暖房側に実際に配分する（加熱循環回路側に循環させる）熱量Ｎｗを１号減ずる。ただし暖房側に実際に配分する熱量Ｎｗが１号相当を下回ることはない。
【０１２４】
前記したステップ１０１がＮＯであった場合に進むステップ１０５〜１１２は、逆に負荷往き側流路５５を流れる熱媒体の温度が所定の設定温度以下である場合の動作を示す。特にこの中で、ステップ１０５〜１０８は、前記温度が設定温度に比べて大幅に低い場合の動作であり、ステップ１０９〜１１２は、前記温度が設定温度に比べて少し低い場合の動作である。
【０１２５】
即ち前記したステップ１０１がＮＯであった場合にはステップ１０５、ステップ１０６に進み、１分間の遅延時間を置く。即ち先の温度測定から所定の時間間隔を置いて、再度負荷往き側流路５５を流れる熱媒体の温度を測定する（ステップ１０７）。そして熱媒温度が設定温度よりも１０℃（摂氏）を越えて低い場合、ステップ１０８に進み、暖房側に実際に配分する（加熱循環回路側に循環させる）熱量Ｎｗを２号増加させる。即ち負荷往き側流路５５を流れる熱媒体の温度が設定温度よりも１０℃を越えて低い場合は、暖房側に実際に配分する熱量が大幅に足りない。そこでこの様な場合には、暖房側に実際に配分する熱量Ｎｗを２号増加させる。
【０１２６】
前記したステップ１０７がＮＯである場合は、ステップ１０９，１１０で更に一分間の遅延時間をおいて再度負荷往き側流路５５を流れる熱媒体の温度を測定（ステップ１１１）する。
そして熱媒温度が設定温度よりも摂氏２度（℃）を越えて低い場合、ステップ１１２に進み、暖房側に実際に配分する（加熱循環回路側に循環させる）熱量Ｎｗを１号増加させる。即ち負荷往き側流路５５を流れる熱媒体の温度が設定温度よりも２℃〜１０℃の範囲で低い場合は、暖房側に実際に配分する熱量が少し足りない状況である。そこでこの様な場合には、暖房側に実際に配分する熱量Ｎｗを１号増加させる。
【０１２７】
前記したステップ１１１がＮＯである場合は、再度負荷往き側流路５５を流れる熱媒体の温度が許容範囲であると言えるから、暖房側に実際に配分する熱量Ｎｗを変更することなくサブルーチンを終え、図８に示すステップ１５に戻る。
【０１２８】
ステップ１５では、前記した式４に基づいて、暖房のために必要な高温湯の湯量ｑｗを演算する。
【０１２９】
そしてステップ１６に進み、温水装置６から出湯される高温湯が、ステップ５で演算した実際に出湯される高温湯の湯量（高温排出湯の湯量）ｑｓと、ステップ１５で演算した暖房のために必要な高温湯の湯量ｑｗとに分配される様に高温湯分配制御比例弁８４を調整する。より具体的には、前記した式５が成立する様に高温湯分配制御比例弁８４を調整する。
【０１３０】
そしてステップ１７に移行し、温水装置６の吐出量の記憶値Ｘを前記した実際に出湯される高温湯の湯量ｑｓと、暖房のために必要な高温湯の湯量ｑｗの合計に書き換える。
【０１３１】
そしてステップ２に戻り、先の工程を繰り返す。
即ちステップ２で、新たに記憶された温水装置６の吐出量の記憶値Ｘに基づいて循環水比例弁５１を制御する。そしてステップ３に進み、温水装置６から常に最高温度の湯が出湯さる様に制御し、さらにステップ４以下の制御を行なう。
【０１３２】
したがって本実施形態では、給湯回路と加熱循環回路に高温湯がバランス良く配分される。
以上説明した実施形態は、本発明をエンジン内蔵のコージェネレーションシステムを活用した給湯装置として説明したが、燃料電池等の排熱を利用したコージェネレーションシステムを採用した給湯装置にも本発明を活用することができる。
【図面の簡単な説明】
【０１３３】
【図１】本発明の第１実施形態である給湯装置の配管系統図である。
【図２】図１に示す給湯装置が排熱貯湯運転モードで運転を行っている場合の作動原理図である。
【図３】図１に示す給湯装置が貯留タンク内の湯水を用いて給湯を行う場合の作動原理図である。
【図４】図１に示す給湯装置が落とし込み運転モードで運転を行っている場合の作動原理図である。
【図５】図１に示す給湯装置が温水装置の熱を用いて給湯を行う場合の作動原理図である。
【図６】図１に示す給湯装置が温水装置の熱を用いて運転モードで運転を行っている場合の作動原理図である。
【図７】図１に示す給湯装置が温水装置の熱を用いて運転と暖房との同時使用モードで運転を行っている場合の作動原理図である。
【図８】図１に示す給湯装置が温水装置の熱を用いて運転と暖房との同時使用モードで運転を行っている場合の主動作を示すフローチャート図である。
【図９】図１に示す給湯装置が温水装置の熱を用いて運転と暖房との同時使用モードで運転を行っている場合のサブルーチン動作を示すフローチャート図である。
【符号の説明】
【０１３４】
１    給湯装置
２    発電部
３    給湯部
５    ガスエンジン
６    温水装置（熱源）
６ａ  熱交換器
７    給湯栓
８    暖房装置（熱負荷）
３２    加熱循環回路
３３    給湯回路
３５    負荷循環回路（熱媒二次回路）
３８    高温湯往き側流路
４１    高温湯戻り側流路
８１    流量センサ
８２    総量制御比例弁
８４    高温湯分配制御比例弁
９３    入水温度センサ
９５    給湯温度センサ
１１１    負荷往き側温度センサ
１１３    貯留タンク下流出側温度センサ
１１４    排熱熱交入水温度センサ
１１５    温水装置入水温度センサ
１２０    往き側分岐点
１２１    戻り側分岐部